(57)【要約】      （修正有）【課題】一体型ビデオカメラがヘッドフォンに内蔵され、ヘッドフォンがスマートフォンなどの携帯音楽デバイスへの接続を含み、この接続がスピーカを使用して携帯音楽デバイスからのステレオ音楽の高品質再生を可能にするビデオヘッドフォンを提供する。【解決手段】第１のヘッドフォンユニット内に形成する第１のビデオカメラと、第２のヘッドフォンユニット内に形成する第２のビデオカメラを内蔵する高品質ステレオ音楽再生のための一対の小型ラウドスピーカを含む音楽ヘッドフォンであって、ヘッドフォンがスマートフォンなどの物理的に別個の携帯音楽デバイスへの少なくとも１つの接続を含む。【選択図】図７０
2020096354.tif 000002
【特許請求の範囲】
【請求項１】
高品質のステレオ音楽再生用の一対の小型ラウドスピーカを含む音楽ヘッドフォンであ
って、少なくとも１つの一体型ビデオカメラが前記ヘッドフォンに内蔵され、前記ヘッド
フォンがスマートフォンなどの物理的に別個の携帯音楽デバイスへの少なくとも１つの接
続を含み、
前記接続のうちの少なくとも１つが、（ｉ）前記小型ラウドスピーカを使用して前記携
帯音楽デバイスのステレオ音楽の高品質の再生を可能にし、
前記接続のうちの少なくとも１つが、（ｉｉ）音楽または他の音声を編集またはミキシ
ングしてビデオ録画のためのサウンドトラックを作成するか、またはビデオ録画を共有す
るかのうちの１つ以上を行うために、前記ビデオカメラから前記携帯音楽デバイスへのビ
デオデータの転送を可能にし、
前記ビデオデータの編集が可能である、音楽ヘッドフォン。
【請求項２】
前記音楽ヘッドフォンがハイファイステレオ音楽再生を提供し、かつユーザの各外耳を
包囲するイヤパッドを有する耳覆い型であるか、またはユーザの各外耳に押し当てられる
イヤパッドを有する耳当て型であり、前記イヤパッドがラウドスピーカ筐体に取り付けら
れ、前記筐体が前記ビデオカメラを隠す、請求項１に記載の音楽ヘッドフォン。
【請求項３】
ユーザが、前記一体型ビデオカメラを使用してＰＯＶビデオなどのビデオを録画するこ
とができ、前記ユーザが、前記携帯音楽デバイスに保存されるか、またはそれからアクセ
ス可能な少なくとも１つの音楽トラック、ジャンル、チャンネル、またはプレイリストを
選択して、前記ビデオの前記サウンドトラックにすることができる、請求項１または２に
記載の音楽ヘッドフォン。
【請求項４】
前記ビデオの前記サウンドトラックを形成する、前記選択されたトラック、ジャンル、
チャンネル、またはプレイリストが、前記ビデオが録画されるとき、前記音楽ヘッドフォ
ン上で前記携帯音楽デバイスによって再生される、請求項３に記載の音楽ヘッドフォン。
【請求項５】
前記選択されたトラック、ジャンル、チャンネル、またはプレイリストが、前記ビデオ
が録画されるときに、前記音楽ヘッドフォン上で前記携帯音楽デバイスによって再生され
ないが、代わりに、前記携帯音楽デバイスと対話する前記ユーザによってその後選択され
、次いで、前記ビデオの前記サウンドトラックにされる、請求項３に記載の音楽ヘッドフ
ォン。
【請求項６】
前記一体型ビデオカメラの本体が、前記ヘッドフォンのスピーカ筐体内に完全に含まれ
る、請求項１〜５のいずれかに記載の音楽ヘッドフォン。
【請求項７】
カメラレンズが、前記音楽ヘッドフォン内のビデオカメラの存在を示す唯一の可視的物
体または構造である、請求項１〜６のいずれかに記載の音楽ヘッドフォン。
【請求項８】
前記ビデオカメラの表面が、スピーカ筐体の表面と隣接する表面を形成する、請求項１
〜７のいずれかに記載の音楽ヘッドフォン。
【請求項９】
前記ヘッドフォンが、モーションを検出するために加速度計またはジャイロなどのモー
ションセンサを含む、請求項１〜８のいずれかに記載の音楽ヘッドフォン。
【請求項１０】
前記モーションセンサが、前記一体型ビデオカメラによって撮影される画像の画像安定
化のために使用される、請求項９に記載の音楽ヘッドフォン。
【請求項１１】
前記音楽ヘッドフォンが着用されているか否かを検出し、着用されていないときに音楽
再生を自動的に一時停止するセンサを含む、請求項１〜１０のいずれかに記載の音楽ヘッ
ドフォン。
【請求項１２】
前記音楽ヘッドフォンが着用されているか否かを検出し、着用されていないときにビデ
オ録画を自動的に一時停止するセンサを含む、請求項１〜１１のいずれかに記載の音楽ヘ
ッドフォン。
【請求項１３】
前記ビデオカメラが、前記スピーカ筐体の一部を形成する回転可能なユニットの内側に
位置付けられ、前記ユーザが、１つの前方ＰＯＶおよび１つの後方ＰＯＶを含む、前記カ
メラの配向を変更することを可能にする、請求項１〜１２のいずれかに記載の音楽ヘッド
フォン。
【請求項１４】
各筐体のための前記ラウドスピーカ筐体の一部を形成する回転可能なユニットの内側に
位置付けられたビデオカメラが存在し、各ユニットが独立して回転可能である、請求項１
３に記載の音楽ヘッドフォン。
【請求項１５】
前記音楽ヘッドフォンが複数の一体型ビデオカメラを含む、請求項１〜１４のいずれか
に記載の音楽ヘッドフォン。
【請求項１６】
各ビデオカメラの位置が、前記音楽ヘッドフォンのヘッドバンドの一部などの部材に沿
って前記カメラを摺動することによって変更され得る、請求項１５に記載の音楽ヘッドフ
ォン。
【請求項１７】
前記携帯音楽デバイスへの前記接続が、以下のリスト：音声ジャック、電話ジャック、
電話プラグ、ジャックプラグ、ステレオプラグ、ミニステレオ、ミニジャック、ヘッドフ
ォンジャック、ＵＳＢ、ＵＳＢ  ＯＴＧ、ファイヤーワイヤー、サンダーボルトから選択
される物理的コネクタを含む、請求項１〜１６のいずれかに記載の音楽ヘッドフォン。
【請求項１８】
前記携帯音楽デバイスへの前記接続が、ブルートゥース（登録商標）Ａ２ＤＰまたはＷ
ｉ−Ｆｉなどの短距離無線接続を含む、請求項１〜１７のいずれかに記載の音楽ヘッドフ
ォン。
【請求項１９】
マイクが存在しないといった理由からそれ自体がヘッドセットではない、請求項１〜１
８のいずれかに記載の音楽ヘッドフォン。
【請求項２０】
複数のビデオカメラを含み、各々がビデオおよび静止画像の両方を含むパノラマ画像が
撮影されることを可能にするように配置される、請求項１〜１９のいずれかに記載の音楽
ヘッドフォン。
【請求項２１】
周囲光センサを含む、請求項１〜２０のいずれかに記載の音楽ヘッドフォン。
【請求項２２】
色または色温度センサを含む、請求項１〜２１のいずれかに記載の音楽ヘッドフォン。
【請求項２３】
心拍数および／または皮膚コンダクタンスなどの前記ユーザの生理学的パラメータを検
出するための生理学的センサを含む、請求項１〜２２のいずれかに記載の音楽ヘッドフォ
ン。
【請求項２４】
前記ユーザがビデオ録画を開始した後にビデオを前記接続された音楽プレイヤーにリア
ルタイムで伝送し、前記ビデオが前記音楽プレイヤーの表示画面上に示される、請求項１
〜２３のいずれかに記載の音楽ヘッドフォン。
【請求項２５】
前記リアルタイムビデオが、比較的低い解像度であるが、前記ユーザがビデオにされた
場面を見ることを可能にするのに十分であり、高解像度画像データが、前記音楽プレイヤ
ーが前記ビデオを保存し、かつ前記ユーザが前記音楽プレイヤー上で前記ビデオを編集す
ることを可能にするように、その後前記音楽プレイヤーに送信される、請求項２４に記載
の音楽ヘッドフォン。
【請求項２６】
前記リアルタイムビデオが前記ユーザによって編集可能であり、任意の編集が、その後
自動的に前記高解像度バージョンに適用される、請求項２５に記載の音楽ヘッドフォン。
【請求項２７】
高品質ステレオ音楽再生のための一対のスピーカを含むステレオ音楽ヘッドフォンを含
むシステムであって、少なくとも１つの一体型ビデオカメラが前記ヘッドフォンに内蔵さ
れ、前記ヘッドフォンがスマートフォンなどの物理的に別個の携帯音楽デバイスへの少な
くとも１つの接続を含み、前記接続が前記スピーカを使用して前記携帯音楽デバイスから
のステレオ音楽の高品質再生を特に可能にし、
前記システムが、前記携帯音楽デバイス内のプロセッサ上、またはクラウド内などの他
の場所で起動するアプリケーションをさらに含み、前記アプリケーションが、前記音楽ヘ
ッドフォンからのビデオデータを処理し、ユーザが、前記ビデオを編集する、音楽または
他の音声を前記ビデオに追加する、前記ビデオを共有する、のうちの１つ以上を行うこと
を可能にする、システム。
【請求項２８】
前記アプリケーションが、音楽編集能力を提供し、前記ユーザが、選択した音楽トラッ
ク、ジャンル、チャンネル、またはプレイリストを追加または編集することによって前記
ビデオのためのサウンドトラックを作成または編集する、請求項２７に記載のシステム。
【請求項２９】
前記アプリケーションが、ビデオ編集能力を提供し、前記ユーザが、選択した画像フィ
ルタを追加または使用することによって前記デバイス上で前記ビデオを編集する、請求項
２７または２８に記載のシステム。
【請求項３０】
前記アプリケーションが、ビデオ編集能力を提供し、前記ユーザが、選択したビデオ効
果フィルタを追加または使用することによって前記デバイス上で前記ビデオを編集する、
請求項２７〜２９のいずれかに記載のシステム。
【請求項３１】
前記ヘッドフォンが、モーションを検出するための加速度計またはジャイロなどのモー
ションセンサを含み、前記モーションセンサからのデータが、前記一体型ビデオカメラに
よって撮影された画像の画像安定化のための前記アプリケーションによって使用される、
請求項２７〜３０のいずれかに記載のシステム。
【請求項３２】
前記アプリケーションが、選択された場合に、ユーザがビデオに対して適用する画像お
よび／またはビデオフィルタを購入することを可能にする前記音楽再生デバイス上に画面
上のメニュー項目を表示する、請求項２７〜３１のいずれかに記載のシステム。
【請求項３３】
前記アプリケーションが、選択された場合に、ユーザがビデオに対して適用する音楽ト
ラック、ジャンル、チャンネル、またはプレイリストを購入することを可能にする前記携
帯音楽デバイス上に画面上のメニュー項目を表示する、請求項２７〜３２のいずれかに記
載のシステム。
【請求項３４】
前記アプリケーションが、ユーザがビデオを撮影し、ビデオを編集し、前記ビデオのた
めの前記サウンドトラックとして音楽を選択し、音楽を編集し、かつサウンドトラックが
付随するビデオを共有することを可能にするダウンロード可能なアプリである、請求項２
７〜３３のいずれかに記載のシステム。
【請求項３５】
前記携帯音楽デバイスが、無線または有線データネットワーク上で前記サウンドトラッ
クが付随するビデオを共有することができるスマートフォンなどのデータ接続デバイスで
ある、請求項２７〜３４のいずれかに記載のシステム。
【請求項３６】
共有することが、ＰＯＶビデオおよび付随する音楽トラックのライブストリーミングで
ある、請求項３５に記載のシステム。
【請求項３７】
共有することが、ユーザがビデオを寄稿して前記ビデオを他のユーザと共有することが
できるソーシャルネットワーク、ソーシャルメディアプラットフォーム、ウェブサイトの
うちの１つ以上に対するものである、請求項３５または３６に記載のシステム。
【請求項３８】
ビデオを作成する方法であって、
（ｉ）ビデオが、前記ビデオのサウンドトラックとして、スマートフォンなどの携帯音
楽プレイヤーに保存されるか、またはそれからアクセス可能な１つ以上の指定された音楽
トラック、ジャンル、チャンネル、またはプレイリストを含むことをユーザが指定するス
テップと、
（ｉｉ）上記のステップ（ｉ）の後または前のいずれかに、物理的に別個の携帯音楽プ
レイヤーに接続される少なくとも１つのビデオカメラを使用して、前記ユーザが場面を録
画するステップと、
（ｉｉｉ）前記携帯音楽プレイヤー内のプロセッサ上、またはクラウド内などの他の場
所でアプリケーションを起動するステップであって、前記ビデオ録画の前記サウンドトラ
ックとして、前記指定された音楽トラック、ジャンル、チャンネル、またはプレイリスト
のうちのいくつかまたは全てを含む、ステップと、を含む、方法。
【請求項３９】
前記ビデオカメラが、耐久性パーソナルビデオカメラなどのスタンドアローンカメラで
ある、請求項３８に記載のビデオを作成する方法。
【請求項４０】
前記ビデオカメラが音楽ヘッドフォンに一体化される、請求項３８に記載のビデオを作
成する方法。
【請求項４１】
前記ビデオカメラが、グーグルグラス（登録商標）などの拡張現実眼鏡に一体化される
、請求項３８に記載のビデオを作成する方法。
【請求項４２】
前記サウンドトラックが、前記音楽ヘッドフォンを着用する前記ユーザが前記ビデオを
録画している間に前記音楽プレイヤーが一対の音楽ヘッドフォン上で再生する音楽である
、請求項３８〜４１のいずれかに記載のビデオを作成する方法。
【請求項４３】
前記録音されたサウンドトラックが、前記ユーザが前記ビデオを録画している間に前記
音楽プレイヤーが任意の音楽ヘッドフォン上で前記ユーザに対して再生する音楽ではなく
、録画が完了した後に前記ユーザによって選択されたトラック、ジャンル、チャンネル、
またはプレイリストである、請求項３８〜４２のいずれかに記載のビデオを作成する方法
。
【請求項４４】
前記ユーザが、音楽および／または他の音声を前記ビデオに追加することによってそれ
を編集する、請求項３８〜４３のいずれかに記載のビデオを作成する方法。
【請求項４５】
前記ユーザが、前記アプリケーションを使用して画像フィルタを前記ビデオに追加する
、請求項３８〜４４のいずれかに記載のビデオを作成する方法。
【請求項４６】
前記ユーザが、前記アプリケーションを使用してビデオ効果フィルタを前記ビデオに追
加する、請求項３８〜４５のいずれかに記載のビデオを作成する方法。
【請求項４７】
前記アプリケーションを使用して、前記ユーザが、前記ビデオおよびそのサウンドトラ
ックを、ユーザがビデオを寄稿して前記ビデオを他のユーザと共有することができるソー
シャルネットワーク、ソーシャルメディアプラットフォーム、ウェブサイトに提供（例え
ば、投稿、ライブ投稿、ストリーミング、またはライブストリーミング）するステップを
含む、請求項３８〜４６のいずれかに記載のビデオを作成する方法。
【請求項４８】
頭部装着型デバイスであって、
第１の内部空間を画定する第１の筐体と、前記第１の内部空間内に少なくとも部分的に
配設され、かつ前記第１の筐体と一体化される第１のラウドスピーカと、を含む第１のイ
ヤフォンアセンブリと、
第２の内部空間を画定する第２の筐体と、前記第２の内部空間内に少なくとも部分的に
配設され、かつ前記第２の筐体と一体化される第２のラウドスピーカと、を含む第２のイ
ヤフォンアセンブリと、
前記第１のイヤフォンアセンブリと一体化されるカメラを含む画像取り込み装置と、
各々が２つの独立した音声源のうちの少なくとも１つから音声信号を受信するように構
成された音声入力接続と、
前記音声入力接続から前記第１および第２のラウドスピーカに音声信号を供給するよう
に構成された音声出力と、を含み、
前記頭部装着型デバイスが、前記音声源のうちの前記第１のものと前記音声源のうちの
前記第２のものとの間で切り替わることを可能にするように構成され、前記画像取り込み
装置が、前記音声源のうちのいずれか１つと同時に動作するように構成される、頭部装着
型デバイス。
【請求項４９】
前記音声源が、マイクロフォンおよび音声プレイヤーである、請求項４８に記載の頭部
装着型デバイス。
【請求項５０】
前記カメラが、前記第１の内部空間内に配設され、画像を取り込むために前記第１の筐
体内に画定される開口部から光を受容するように配置される、請求項４８または４９に記
載の頭部装着型デバイス。
【請求項５１】
前記マイクロフォンが、前記第１の内部空間または前記第２の内部空間のいずれかの内
に存在する、請求項４９に記載の頭部装着型デバイス。
【請求項５２】
前記第１のイヤフォンまたは前記第２のイヤフォンのいずれかと関連付けられた手動切
り替えをさらに備え、前記手動切り替えが前記カメラをオンおよびオフに変更し、前記手
動切り替えが前記カメラと同時に前記音声源のうちの１つをオンおよびオフに変更する、
請求項４９に記載の頭部装着型デバイス。
【請求項５３】
前記カメラが、前記第１の内部空間内に回転可能に装着される、請求項４８〜５２のい
ずれかに記載の頭部装着型デバイス。
【請求項５４】
ワールドビュービデオを共有するためのプロセッサ実装方法であって、
プロセッサを介して、ユーザの前記ワールドビュービデオを録画する要求を受信するこ
とと、
ビデオヘッドフォンを介して、前記ワールドビュービデオを録画することと、
前記プロセッサを介して、前記ユーザの命令に基づいて前記ワールドビュービデオを調
整することと、
前記プロセッサを介して、前記調整されたワールドビュービデオを前記ユーザのソーシ
ャルネットワークと共有することと、を含む、方法。
【請求項５５】
前記ビデオヘッドフォンが、埋め込みビデオカメラおよびマイクロフォンを有する音声
ヘッドフォンを備える、請求項５４に記載の方法。
【請求項５６】
前記ワールドビュービデオの前記調整が、前記ワールドビュービデオをトリミングする
ことを含む、請求項５４または５５に記載の方法。
【請求項５７】
前記ワールドビュービデオの前記調整が、音声を前記ワールドビュービデオに追加する
ことを含む、請求項５４〜５６のいずれかに記載の方法。
【請求項５８】
前記ワールドビュービデオの前記調整が、ビデオ効果を前記ワールドビュービデオに追
加することを含む、請求項５４〜５７のいずれかに記載の方法。
【発明の詳細な説明】
【技術分野】
【０００１】
本開示は、ビデオヘッドフォンプラットフォーム方法、装置とメディア（以下、「ＶＨ
Ｐ」）の説明を含む。本特許文書の開示の一部は、著作権および／またはマスクワーク保
護の対象となる材料を含む。著作権および／またはマスクワーク所有者は、特許商標庁ま
たは世界知的所有権機関の特許出願書または記録に表現される場合、特許文書または特許
開示に関しては何人による完全な複写にも異存はないが、それ以外の場合、全ての著作権
およびマスクワーク権を保有する。
【０００２】
関連出願の相互参照
本出願は、２０１２年１１月２９日に出願された米国仮特許出願第６１／７３１，１２
６号に対する優先権を主張するものであり、その全内容が参照により援用される。
【０００３】
１．発明の背景
本開示は、概ね、ビデオヘッドフォン、ビデオヘッドフォンを含むシステム、特に、モ
バイルデバイスに接続されたビデオヘッドフォンを含むシステム、ビデオヘッドフォンま
たはビデオヘッドフォンに接続可能なモバイルデバイスの使用を含む方法、およびビデオ
ヘッドフォンを使用して作成されたメディアを対象にする。
【背景技術】
【０００４】
２．技術背景
現在、多くの異なるタイプのヘッドフォンが市場に存在する。いくつかのヘッドフォン
は、最適な音響再生（例えば、高忠実度の音響再生）を提供することにより一層専念して
いるが、他のヘッドフォンは、携帯性（例えば、小型、軽量、折りたたみ可能）に専念し
ている。ヘッドフォンは、音声ケーブルまたは無線受信器のいずれかを介して音声源（例
えば、携帯音楽プレイヤー）から音声信号を取得し得る。
【発明の概要】
【０００５】
本発明の第１の態様に従って、高品質ステレオ音楽再生のための一対の小型ラウドスピ
ーカを含む音楽ヘッドフォンが提供され、音楽ヘッドフォンにおいて、少なくとも１つの
一体型ビデオカメラがヘッドフォンに内蔵され、ヘッドフォンがスマートフォンなどの物
理的に別個の携帯音楽デバイスへの少なくとも１つの接続を含み、
接続のうちの少なくとも１つが、（ｉ）小型ラウドスピーカを使用して携帯音楽デバイ
スのステレオ音楽の高品質の再生を可能にし、
接続のうちの少なくとも１つが、（ｉｉ）音楽または他の音声を編集またはミキシング
してビデオ録画のためのサウンドトラックを作成するか、またはビデオ録画を共有するか
のうちの１つ以上を行うために、前述のビデオカメラから携帯音楽デバイスへのビデオデ
ータの転送を可能し、
ビデオデータの編集が可能である。
【０００６】
音楽ヘッドフォンは、音楽ヘッドフォンがハイファイステレオ音楽再生を提供し、かつ
ユーザの各外耳を包囲するイヤパッドを有する耳覆い型であるか、またはユーザの各外耳
に押し当てられるイヤパッドを有する耳当て型であり、イヤパッドがラウドスピーカ筐体
に取り付けられ、筐体が前述のビデオカメラを隠すものであり得る。
【０００７】
音楽ヘッドフォンは、ユーザが、前述の一体型ビデオカメラを使用して、視点（ＰＯＶ
）ビデオなどのビデオを録画することができ、前述のユーザが、携帯音楽デバイスに保存
されるか、またはそれからアクセス可能な少なくとも１つの音楽トラック、ジャンル、チ
ャンネル、またはプレイリストを選択して、そのビデオのサウンドトラックにすることが
できるものであり得る。
【０００８】
音楽ヘッドフォンは、ビデオのサウンドトラックを形成する、選択されたトラック、ジ
ャンル、チャンネル、またはプレイリストが、ビデオが録画されるとき、音楽ヘッドフォ
ン上で携帯音楽デバイスによって再生されるものであり得る。
【０００９】
音楽ヘッドフォンは、選択されたトラック、ジャンル、チャンネル、またはプレイリス
トが、ビデオが録画されるとき、音楽ヘッドフォン上で携帯音楽デバイスによって再生さ
れないが、代わりに、携帯音楽デバイスと対話するユーザによってその後選択され、次い
で、そのビデオのサウンドトラックにされるものであり得る。
【００１０】
音楽ヘッドフォンは、前述の一体型ビデオカメラの本体がヘッドフォンのスピーカ筐体
内に完全に含まれるものであり得る。
【００１１】
音楽ヘッドフォンは、カメラレンズが音楽ヘッドフォン内の唯一の可視的物体またはビ
デオカメラの存在を示す構造であるものであり得る。
【００１２】
音楽ヘッドフォンは、前述のビデオカメラの表面が、スピーカ筐体の前述の表面と隣接
する表面を形成するものであり得る。
【００１３】
音楽ヘッドフォンは、ヘッドフォンが、モーションを検出するために加速度計またはジ
ャイロなどのモーションセンサを含むものであり得る。
【００１４】
音楽ヘッドフォンは、モーションセンサが、前述の一体型ビデオカメラによって撮影さ
れる画像の画像安定化のために使用されるものであり得る。
【００１５】
音楽ヘッドフォンは、音楽ヘッドフォンが着用されているか否かを検出し、着用されて
いないときに音楽再生を自動的に一時停止するセンサを含むものであり得る。
【００１６】
音楽ヘッドフォンは、音楽ヘッドフォンが着用されているか否かを検出し、着用されて
いないときにビデオ録画を自動的に一時停止するセンサを含むものであり得る。
【００１７】
音楽ヘッドフォンは、前述のビデオカメラが、スピーカ筐体の一部を形成する回転可能
なユニットの内側に位置付けられ、ユーザが、１つの前方ＰＯＶおよび１つの後方ＰＯＶ
を含む、前述のカメラの配向を変更することを可能にするものであり得る。
【００１８】
音楽ヘッドフォンは、その中に、各筐体のためのラウドスピーカ筐体の一部を形成する
回転可能なユニットの内側に位置付けられたビデオカメラが存在し、各ユニットが独立し
て回転可能であるものであり得る。
【００１９】
音楽ヘッドフォンは、音楽ヘッドフォンが複数の一体型ビデオカメラを含むものであり
得る。
【００２０】
音楽ヘッドフォンは、各ビデオカメラの位置が、音楽ヘッドフォンのヘッドバンドの一
部などの部材に沿ってそのカメラを摺動することによって変更され得るものであり得る。
【００２１】
音楽ヘッドフォンは、携帯音楽デバイスへの接続が、以下のリスト：音声ジャック、電
話ジャック、電話プラグ、ジャックプラグ、ステレオプラグ、ミニステレオ、ミニジャッ
ク、ヘッドフォンジャック、ＵＳＢ、ＵＳＢ  ＯＴＧ、ファイヤーワイヤー、サンダーボ
ルトから選択される物理的コネクタを含むものであり得る。
【００２２】
音楽ヘッドフォンは、携帯音楽デバイスへの接続が、ブルートゥース（登録商標）Ａ２
ＤＰまたはＷｉ−Ｆｉなどの短距離無線接続を含むものであり得る。
【００２３】
音楽ヘッドフォンは、マイクが存在しないといった理由からそれ自体がヘッドセットで
はないものであり得る。
【００２４】
音楽ヘッドフォンは、複数のビデオカメラを含み、各々がビデオおよび静止画像の両方を
含むパノラマ画像が撮影されることを可能にするように配置されるものであり得る。
【００２５】
音楽ヘッドフォンは、周囲光センサを含むものであり得る。
【００２６】
音楽ヘッドフォンは、色または色温度センサを含むものであり得る。
【００２７】
音楽ヘッドフォンは、心拍数および／または皮膚コンダクタンスなどのユーザの生理学
的パラメータを検出するための生理学的センサを含むものであり得る。
【００２８】
音楽ヘッドフォンは、ユーザがビデオ録画を開始した後にビデオを接続された音楽プレ
イヤーにリアルタイムで伝送し、そのビデオが音楽プレイヤーの表示画面上に示されるも
のであり得る。
【００２９】
音楽ヘッドフォンは、リアルタイムビデオが比較的低い解像度であるが、ユーザがビデ
オにされた場面を見ることを可能にするのに十分であり、高解像度画像データが、音楽プ
レイヤーがビデオを保存し、かつユーザが音楽プレイヤー上でそのビデオを編集すること
を可能にするように、その後音楽プレイヤーに送信されるものであり得る。
【００３０】
音楽ヘッドフォンは、リアルタイムビデオがユーザによって編集可能であり、任意の編
集が、その後自動的に高解像度バージョンに適用されるものであり得る。
【００３１】
本発明の第２の態様に従って、高品質ステレオ音楽再生のための一対のスピーカを含む
ステレオ音楽ヘッドフォンを含むシステムが提供され、該システムにおいて、少なくとも
１つの一体型ビデオカメラがヘッドフォンに内蔵され、ヘッドフォンがスマートフォンな
どの物理的に別個の携帯音楽デバイスへの少なくとも１つの接続を含み、この接続が、ス
ピーカを使用して携帯音楽デバイスからのステレオ音楽の高品質再生を特に可能にする。
システムが、携帯音楽デバイス内のプロセッサ上、またはクラウド内などの他の場所で
起動するアプリケーションをさらに含み、該アプリケーションが、音楽ヘッドフォンから
のビデオデータを処理し、ユーザが以下のうちの１つ以上を行うことを可能にする：ビデ
オを編集する、音楽または他の音声をビデオに追加する、ビデオを共有する。
【００３２】
システムは、アプリケーションが、音楽編集能力を提供し、ユーザが、選択した音楽ト
ラック、ジャンル、チャンネル、またはプレイリストを追加または編集することによって
ビデオのためのサウンドトラックを作成または編集するものであり得る。
【００３３】
システムは、アプリケーションが、ビデオ編集能力を提供し、ユーザが、選択した画像
フィルタを追加または使用することによってデバイス上でビデオを編集するものであり得
る。
【００３４】
システムは、アプリケーションが、ビデオ編集能力を提供し、ユーザが、選択したビデ
オ効果フィルタを追加または使用することによって、デバイス上でビデオを編集するもの
であり得る。
【００３５】
システムは、ヘッドフォンが、モーションを検出するために加速度計またはジャイロな
どのモーションセンサを含み、モーションセンサからのデータが、前述の一体型ビデオカ
メラによって撮影された画像の画像安定化のためのアプリケーションによって使用される
ものであり得る。
【００３６】
システムは、アプリケーションが、選択された場合に、ユーザがビデオに対して適用す
る画像および／またはビデオフィルタを購入することを可能にする音楽再生デバイス上に
画面上のメニュー項目を表示するものであり得る。
【００３７】
システムは、アプリケーションが、選択された場合に、ユーザがビデオに対して適用す
る音楽トラック、ジャンル、チャンネル、またはプレイリストを購入することを可能にす
る携帯音楽デバイス上に画面上のメニュー項目を表示するものであり得る。
【００３８】
システムは、アプリケーションが、ユーザがビデオを撮影し、ビデオを編集し、そのビ
デオのためのサウンドトラックとして音楽を選択し、音楽を編集し、かつサウンドトラッ
クが付随するビデオを共有することを可能にするダウンロード可能なアプリであるもので
あり得る。
【００３９】
システムは、携帯音楽デバイスが、無線または有線データネットワーク上で前期サウン
ドトラックが付随するビデオを共有することができるスマートフォンなどのデータ接続デ
バイスであるものであり得る。
【００４０】
システムは、共有することが、ＰＯＶビデオおよび付随する音楽トラックのライブスト
リーミングである。
【００４１】
システムは、共有することが、ユーザがビデオを寄稿してそのビデオを他のユーザと共
有することができるソーシャルネットワーク、ソーシャルメディアプラットフォーム、ウ
ェブサイトのうちの１つ以上に対するものであり得る。
【００４２】
本発明の第３の態様に従って、以下のステップを含むビデオを作成する方法であって、
（ｉ）ビデオが、ビデオのサウンドトラックとして、スマートフォンなどの携帯音楽プ
レイヤーに保存されるか、またはそれからアクセス可能な１つ以上の指定された音楽トラ
ック、ジャンル、チャンネル、またはプレイリストを含むことをユーザが指定するステッ
プと、
（ｉｉ）上記のステップ（ｉ）の後または前のいずれかに、物理的に別個の携帯音楽プ
レイヤーに接続される少なくとも１つのビデオカメラを使用して、ユーザが場面を録画す
るステップと、
（ｉｉｉ）携帯音楽プレイヤー内のプロセッサ上、またはクラウド内などの他の場所で
アプリケーションを起動するステップであって、ビデオ録画のサウンドトラックとして、
指定された音楽トラック、ジャンル、チャンネル、またはプレイリストのうちのいくつか
または全てを含む、ステップと、を含む、方法が提供される。
【００４３】
ビデオを作成する方法は、ビデオカメラが、耐久性パーソナルビデオカメラなどのスタ
ンドアローンカメラであるものであり得る。
【００４４】
ビデオを作成する方法は、ビデオカメラが音楽ヘッドフォンに一体化されたものであり
得る。
【００４５】
ビデオを作成する方法は、ビデオカメラがグーグルグラス（登録商標）などの拡張現実
眼鏡に一体化されるものであり得る。
【００４６】
ビデオを作成する方法は、サウンドトラックが、音楽ヘッドフォンを着用するユーザが
ビデオを録画している間にそれらの音楽プレイヤーが一対の音楽ヘッドフォン上で再生す
る音楽であるものであり得る。
【００４７】
ビデオを作成する方法は、録音されたサウンドトラックが、ユーザがビデオを録画して
いる間に音楽プレイヤーが任意の音楽ヘッドフォン上でユーザに対して再生する音楽では
なく、録画が完了した後にユーザによって選択されたトラック、ジャンル、チャンネル、
またはプレイリストであるものであり得る。
【００４８】
ビデオを作成する方法は、ユーザが、音楽および／または他の音声をビデオに追加する
ことによってそれを編集するものであり得る。
【００４９】
ビデオを作成する方法は、ユーザが、アプリケーションを使用して画像フィルタをビデ
オに追加するものであり得る。
【００５０】
ビデオを作成する方法は、ユーザが、アプリケーションを使用してビデオ効果フィルタ
をビデオに追加するものであり得る。
【００５１】
ビデオを作成する方法は、アプリケーションを使用して、ユーザが、ビデオおよびその
サウンドトラックを、ユーザがビデオを寄稿してそのビデオを他のユーザと共有すること
ができるソーシャルネットワーク、ソーシャルメディアプラットフォーム、ウェブサイト
に提供（例えば、投稿、ライブ投稿、ストリーミング、またはライブストリーミング）す
るステップを含むものであり得る。
【００５２】
本発明の第４の態様に従って、頭部装着型デバイスであって、
第１の内部空間を画定する第１の筐体と、第１の内部空間内に少なくとも部分的に配設
され、第１の筐体と一体化される第１のラウドスピーカとを含む第１のイヤフォンアセン
ブリと、
第２の内部空間を画定する第２の筐体と、第２の内部空間内に少なくとも部分的に配設
され、第２の筐体と一体化される第２のラウドスピーカとを含む第２のイヤフォンアセン
ブリと、
第１のイヤフォンアセンブリと一体化されるカメラを含む画像取り込み装置と、
各々が２つの独立した音声源のうちの少なくとも１つから音声信号を受信するように構
成された音声入力接続と、
音声入力接続から第１および第２のラウドスピーカに音声信号を供給するように構成さ
れた音声出力と、を含み、
頭部装着型デバイスが、音声源のうちの第１のものと音声源のうちの第２のものとの間
で切り替わることを可能にするように構成され、画像取り込み装置が、音声源のうちのい
ずれか１つと同時に動作するように構成される、頭部装着型デバイスが提供される。
【００５３】
頭部装着型デバイスは、音声源が、マイクロフォンおよび音声プレイヤーであるもので
あり得る。
【００５４】
頭部装着型デバイスは、カメラが、第１の内部空間内に配設され、画像を取り込むため
に第１の筐体内に画定される開口部から光を受容するように配置されるものであり得る。
【００５５】
頭部装着型デバイスは、マイクロフォンが、第１の内部空間または第２の内部空間のい
ずれかの内に存在するものであり得る。
【００５６】
頭部装着型デバイスは、第１のイヤフォンまたは第２のイヤフォンのいずれかと関連付
けられた手動切り替えをさらに備え、手動切り替えによりカメラをオンおよびオフに変更
し、手動切り替えによりカメラと同時に音声源のうちの１つをオンおよびオフに変更する
ものであり得る。
【００５７】
頭部装着型デバイスは、カメラが第１の内部空間内に回転可能に装着されるものであり
得る。
【００５８】
本発明の第５の態様に従って、ワールドビュービデオを共有するためのプロセッサ実装
方法であって、
プロセッサを介して、ユーザのワールドビュービデオを録画する要求を受信することと
、
ビデオヘッドフォンを介して、ワールドビュービデオを録画することと、
プロセッサを介して、ユーザの命令に基づいてワールドビュービデオを調整することと
、
プロセッサを介して、調整されたワールドビュービデオをユーザのソーシャルネットワ
ークと共有することと、を含む、方法が提供される。
【００５９】
本方法は、ビデオヘッドフォンが、埋め込みビデオカメラおよびマイクロフォンを有す
る音声ヘッドフォンを備えるものであり得る。
【００６０】
本方法は、ワールドビュービデオの調整が、ワールドビュービデオをトリミングするこ
とを含むものであり得る。
【００６１】
本方法は、ワールドビュービデオの調整が、音声をワールドビュービデオに追加するこ
とを含むものであり得る。
【００６２】
本方法は、ワールドビュービデオの調整が、ビデオ効果をワールドビュービデオに追加
することを含むものであり得る。
【図面の簡単な説明】
【００６３】
添付の図および付録は、本開示に従って様々な実施例を示す。ここで、本発明の上記お
よび他の態様を以下の図面を参照しながら単なる例として説明する。
【図１】ＶＨＰの一実施例におけるワールドビュー共有（ＷＶＳ）構成要素を図示する論理フロー図を示す。これは、例示的なＶＨＰワールドビュー共有（ＷＶＳ）構成要素である。
【図２】ＶＨＰの一実施例におけるデータフロー図を示す。これは、例示的なＶＨＰデータフローである。
【図３】ＶＨＰの一実施例における例示的なＶＨＰ調整器を図示するブロック図を示す。これは、例示的なＶＨＰ調整器である。
【図４】ＶＨＰの更なる実施例を図示する。
【図５】ＶＨＰの更なる実施例を図示する。
【図６】ＶＨＰの更なる実施例を図示する。
【図７】ＶＨＰの更なる実施例を図示する。
【図８】ＶＨＰの更なる実施例を図示する。
【図９】ＶＨＰの更なる実施例を図示する。
【図１０】ＶＨＰの更なる実施例を図示する。
【図１１】ＶＨＰの更なる実施例を図示する。
【図１２】ＶＨＰの更なる実施例を図示する。
【図１３】ＶＨＰの更なる実施例を図示する。
【図１４】ＶＨＰの更なる実施例を図示する。
【図１５】ＶＨＰの更なる実施例を図示する。
【図１６】ＶＨＰの更なる実施例を図示する。
【図１７】ＶＨＰの更なる実施例を図示する。
【図１８】ＶＨＰの更なる実施例を図示する。
【図１９】ＶＨＰの更なる実施例を図示する。
【図２０】ＶＨＰの更なる実施例を図示する。
【図２１】ビデオヘッドフォンの２つの異なる斜視図の例を示す。
【図２２】（Ａ）は、ヘッドフォンユニットの回転可能な部分およびヘッドフォンユニットの固定部分の分解画像を示す。（Ｂ）は、スクリューアジャスターに装着されたカメラ、および中でねじを回すことにより調整範囲内でカメラを直線的に並進させる筐体の分解画像を示す。
【図２３】（Ａ）は、ヘッドフォンユニットの一体的に装着されたカメラを含む回転可能な部分、およびヘッドフォンユニットの固定部分の分解画像を示す。（Ｂ）は、開口部の一実施例を示す。
【図２４】（Ａ）は、直線的に並進可能なカメラを含むビデオヘッドフォンのヘッドフォンユニットの一実施例を示す。（Ｂ）は、回転可能なカメラを含むビデオヘッドフォンのヘッドフォンユニットを示す。（Ｃ）は、回転可能なカメラを含むビデオヘッドフォンのヘッドフォンユニットを示す。
【図２５】（Ａ）は、摺動可能なカメラを受容するように構成された摺動可能なカメラモジュールおよび複数のソケットモジュールが設けられるヘッドバンドを含むビデオヘッドフォンの一実施例を示す。（Ｂ）は、固定されたソケットモジュールの一実施例を示す。（Ｃ）は、カメラを前方または後方配向に向け得るように、カメラの回転を可能にするカメラモジュールの一実施例を示す。（Ｄ）は、ヘッドバンド上で自由に摺動可能であるカメラモジュールの一実施例を示す。（Ｅ）は、ソケットモジュールにクリックできるように取り付け可能であるカメラモジュールの一実施例を示す。
【図２６】（Ａ）は、左のヘッドフォンカップの一実施例を示す。（Ｂ）は、右のヘッドフォンカップの一実施例を示す。（Ｃ）は、左回転カップの一実施例を示す。
【図２７】発光録画表示器がさらに提供される、ビデオヘッドフォンに接続可能であるモバイル電話の一実施例を示す。
【図２８】周囲光センサを含むヘッドフォンユニットの一実施例を示す。
【図２９】ライブビデオフィードのプロセスの一実施例を示す。
【図３０】（Ａ）は、２つのヘッドフォンユニットの各々が回転可能なカップ上にビデオカメラを含む、ビデオヘッドフォンの一実施例を示す。（Ｂ）は、ビデオカメラのソケットモジュールの一実施例を示す。（Ｃ）は、回転可能なカップ上に設けられるビデオカメラの一実施例を示す。
【図３１】（Ａ）は、カメラを前方または後方配向に向け得るように、カメラの回転を可能にするカメラモジュールの一実施例を示す。（Ｂ）は、ヘッドバンド上で自由に摺動可能であるカメラモジュールの一実施例を示す。（Ｃ）は、固定されたソケットモジュールの一実施例を示す。（Ｄ）は、ソケットモジュールにクリックできるように取り付け可能であるカメラモジュールを示す。
【図３２】作成−ビデオ選択のユーザインタフェース画面の一実施例を示す。
【図３３】作成−ライブ配信！のユーザインタフェース画面の一実施例を示す。
【図３４】ユーザインタフェース画面の一実施例を示す。
【図３５】パノラマ画像取り込みの一実施例を示す。
【図３６】パノラマ画像取り込みの一実施例を示す。
【図３７】翻訳プロセスの一実施例を示す。
【図３８】翻訳−マイクロフォン選択のユーザインタフェース画面の実施例を示す。
【図３９】ユーザインタフェース画面の一実施例を示す。
【図４０】ユーザインタフェース画面の一実施例を示す。
【図４１】サインアップ／ログインのユーザインタフェース画面の一実施例を示す。
【図４２】新規アカウント作成のユーザインタフェース画面の一実施例を示す。
【図４３】プロファイル−マイビデオのユーザインタフェース画面の一実施例を示す。
【図４４】プロファイル−フォロワーのユーザインタフェース画面の一実施例を示す。
【図４５】プロファイル−フォロー中のユーザインタフェース画面の一実施例を示す。
【図４６】プロファイル−設定のユーザインタフェース画面の一実施例を示す。
【図４７】フィード−トレンドのユーザインタフェース画面の一実施例を示す。
【図４８】フィード−人気のユーザインタフェース画面の一実施例を示す。
【図４９】フィード−最新のユーザインタフェース画面の一実施例を示す。
【図５０】フィード−ビデオ詳細ページのユーザインタフェース画面の一実施例を示す。
【図５１】ライブ−トレンドのユーザインタフェース画面の一実施例を示す。
【図５２】エクスプロアのユーザインタフェース画面の一実施例を示す。
【図５３】作成−ビデオ選択のユーザインタフェース画面の一実施例を示す。
【図５４】作成−カメラ選択のユーザインタフェース画面の一実施例を示す。
【図５５】ユーザインタフェース画面の一実施例を示す。
【図５６】ユーザインタフェース画面の一実施例を示す。
【図５７】作成−ビデオヘッドフォンからインポートのユーザインタフェース画面の一実施例を示す。
【図５８】作成−編集−トリミングのユーザインタフェース画面の一実施例を示す。
【図５９】作成−編集−ビデオ速度のユーザインタフェース画面の一実施例を示す。
【図６０】作成−編集−ビデオ音声のユーザインタフェース画面の一実施例を示す。
【図６１】作成−編集−ビデオ効果適用のユーザインタフェース画面の一実施例を示す。
【図６２】作成−編集−音楽追加のユーザインタフェース画面の一実施例を示す。
【図６３】作成−編集−トラック選択のユーザインタフェース画面の一実施例を示す。
【図６４】ユーザインタフェース画面の一実施例を示す。
【図６５】作成−編集−サムネイル選択のユーザインタフェース画面の一実施例を示す。
【図６６】作成−編集−のユーザインタフェース画面の一実施例を示す。
【図６７】作成−編集−プレビューのユーザインタフェース画面の一実施例を示す。
【図６８】作成−編集−共有のユーザインタフェース画面の一実施例を示す。
【図６９】ビデオヘッドフォンの一実施例の斜視図を示す。
【図７０】ビデオヘッドフォンの一実施例の斜視図を示す。
【図７１】ユーザインタフェース画面の一実施例を示す。
【発明を実施するための形態】
【００６４】
ユーザのワールドビュービデオを録画する要求が受信され得る。ワールドビュービデオ
が、ビデオヘッドフォンを介して録画され、ユーザ命令に基づいて調整され得る。調整さ
れたワールドビュービデオは、ユーザのソーシャルネットワークで共有され得る。
【００６５】
序文
ＶＨＰは、ユーザが自分のワールドビューを録画し、編集し、自分のソーシャルネット
ワークと共有することを支援する。ユーザは、ユーザのヘッドフォン内に埋め込まれたビ
デオカメラを通してビデオを録画し得る。音声はまた、ヘッドフォンケーブル制御ユニッ
トに設置されたおよび／またはビデオカメラの下に位置する１つ以上のマイクロフォンを
通して録画され得る。一旦、ユーザがビデオを録画し終わると、ユーザは、音楽を追加す
る、フィルタを適用する、音声および／またはビデオ調整を行う、ビデオの説明を提供す
る、および／または同種のことをし得る。ビデオを編集し終わった後、ビデオは、ユーザ
のソーシャルネットワークと共有され得る。
【００６６】
ＶＨＰの詳細な説明
図１は、ＶＨＰの一実施例におけるワールドビュー共有（ＷＶＳ）構成要素を図示する
論理フロー図を示す。図１において、ワールドビュービデオを共有する要求は、１０１で
受信され得る。例えば、ワールドビュービデオは、ユーザによって見られ得るおよび／ま
たは聞かれ得るもの（即ち、ユーザの目の高さから見た図）を示すビデオであり得る。一
実施例において、ワールドビュービデオを共有するための要求は、ユーザによるビデオヘ
ッドフォン上の録画ボタンの起動に基づいて受信され得る（例えば、録画ボタンがヘッド
フォンケーブル内に一体化され得る）。別の実施例において、ワールドビュービデオを共
有する要求は、ユーザによる（例えば、ユーザのスマートフォンで実行中の）ＶＨＰモバ
イルアプリの録画ボタンの起動に基づいて受信され得る。
【００６７】
ＶＨＰは、１０５でビデオヘッドフォンを介してビデオ録画を容易にし得る。様々な実
施例において、ビデオヘッドフォンは、埋め込まれたおよび／または取り付けられたビデ
オカメラを有するヘッドフォンであり得る。様々な実装形態において、ビデオヘッドフォ
ンは、高精細（ＨＤ）高品質の音響、マルチアングル録画用枢動イヤパッド、１つ以上の
ＨＤ（例えば、１０８０ｐ）ビデオカメラ、１つ以上の動的マイクロフォン、ヘッドフォ
ンケーブルに一体化された音声および／またはビデオ制御（例えば、ビデオ録画、音量調
整、前方および／または後方へのスキップ、ミュート）、および／または同種のものなど
の機能を含み得る。一実装形態において、ビデオヘッドフォンは、イヤピースの１つにビ
デオカメラを含み得、ビデオカメラは、マイクロフォンを有し得る（例えば、ビデオカメ
ラの下に位置する）。別の実装形態において、ビデオヘッドフォンは、２つのビデオカメ
ラ（各イヤピースに１つ）を含み得、各ビデオカメラはマイクロフォンを有し得る。ビデ
オカメラがマイクロフォンを有する場合、ビデオカメラおよび／または付随するマイクロ
フォンは、（例えば、任意の方向で３６０度）枢動および／または旋回して、ユーザがビ
デオを任意の方向で録画することを可能にし得る。例えば、ユーザは、木の鳥のビデオを
録画するために、ビデオカメラの角度を上向きにし得る。別の実施例において、ユーザは
、ユーザの背後にあるもの分割画面を録画するために一方のビデオカメラを真直ぐ前方に
、他方のビデオカメラを後方に向け得る。さらに別の実施例において、ユーザは、３次元
（３Ｄ）ビデオ録画を可能にするような様式で両方のビデオカメラを位置付け得る（例え
ば、両方のビデオカメラが同じ方向に向けられている）。ビデオヘッドフォンは、（例え
ば、ヘッドフォンケーブルを介して、ＨＤビデオを伝送することができる無線技術を介し
て）ユーザのクライアント（例えば、スマートフォン、携帯メディアプレイヤー、タブレ
ット）に接続し得、録画して、ビデオ（例えば、ビデオおよび／または音声を含む）をク
ライアントに（例えば、ＶＨＰモバイルアプリを介して）に伝送し得る。例えば、ビデオ
は、ローカル環境のクライアントに保存され得る。別の実施例において、ビデオは、（例
えば、遠隔サーバ上に）遠隔操作で保存され得る。一実装形態において、ビデオは、任意
の所望の長さであり得る。別の実装形態において、ビデオの最短および／または最長の長
さ（例えば、１５秒）は指定され得る。
【００６８】
ユーザが録画されたビデオをトリミングすることを望むかどうかの決定が１１０で下さ
れる。一実施例において、ユーザに、（例えば、「ビデオをトリミングしたいですか？」
というプロンプトを介して）ユーザがビデオをトリミングすることを望むかどうかを示す
ように促すことによって、この決定は下され得る。別の実施例において、ＶＨＰモバイル
アプリを介してビデオ選択ウィジェットを表示し、かつユーザがビデオ選択ウィジェット
を介してビデオをトリミングすることを、ユーザがそうすることを選択した場合に可能に
することによって、この決定は下され得る。
【００６９】
ユーザがビデオをトリミングすることを望む場合、所望のビデオ区分が１１５で決定さ
れ得る。一実施例において、ユーザは、所定の長さのビデオ区分（例えば、１０秒のビデ
オ区分）を選択するためにＶＨＰモバイルアプリのビデオ選択ウィジェットをドラッグす
ることによって、ビデオをトリミングし得る。別の実施例において、ユーザは、所望のビ
デオ区分を選択するためにＶＨＰモバイルアプリのビデオ選択ウィジェットの長さを拡大
および／または縮小することによって、ビデオをトリミングし得る。さらに別の実施例に
おいて、ユーザは、複数のビデオ（例えば、現在のビデオおよび１つ以上の以前に録画さ
れたビデオ）を１つのビデオに組み合わせ得る。ビデオは、１２０で所望のビデオ区分に
トリミングされ得る。
【００７０】
ユーザが音声をビデオに追加することを望むかどうかの決定が１２５で下される。一実
施例において、ユーザに、（例えば、「音声を追加したいですか？」というプロンプトを
介して）ユーザが音声をビデオに追加することを望むかどうかを示すように促すことによ
って、この決定は下され得る。別の実施例において、ＶＨＰモバイルアプリを介して音声
のユーザ選択を容易にすることによって、かつユーザが音声をビデオに追加することを、
ユーザがそうすることを選択した場合に可能にすることによって、この決定は下され得る
。
【００７１】
ユーザが音声をビデオに追加することを望む場合、ＶＨＰは、１３０で音声選択を容易
にし得る。一実施例において、ユーザは、（例えば、ＶＨＰモバイルアプリの「マイミュ
ージック」ボタンを押すことによって）、ユーザの音声コレクションから音声（例えば、
音楽）を選択し得る。一実装形態において、ユーザは、ユーザの音楽コレクションから音
楽アルバムおよび／またはトラック（例えば、曲）および／またはプレイリストを選択し
得る。ユーザはまた、音声選択ウィジェットを利用して、ビデオに追加されるべき選択さ
れた音声の所望の部分を選択し得る。例えば、選択された音声部分の長さは、ビデオの長
さに等しいように設定される。別の実装形態において、ＶＨＰは、ビデオのアクションと
十分一致する音声をユーザに提案し得る。例えば、ＶＨＰは、速度がビデオのアクション
と一致する曲および／またはプレイリストおよび／または音声部分を提案し得る。別の実
施例において、ユーザは、（例えば、ＶＨＰモバイルアプリの「ＶＨＰライブラリ」ボタ
ンを押すことによって）ＶＨＰの音声コレクションから音声を選択し得る。例えば、ユー
ザは、ＶＨＰモバイルアプリを介して音楽アルバムおよび／または曲および／または音声
効果を購入し得る。一実装形態において、ユーザは、ユーザの音声コレクションに関して
上記で説明される同様の方法で、ＶＨＰの音声コレクションから音声および／または音声
の一部分を選択し得る。別の実装形態において、ユーザは、ユーザの音声コレクションに
関して上記で説明される同様の方法で作成されたＶＨＰからの提案に基づいて、ＶＨＰの
音声コレクションから音声を選択し得る。
【００７２】
ユーザが音声を調整することを望むかどうかの決定が１３５で下され得る。一実施例に
おいて、ユーザに、（例えば、「音声を調整したいですか？」というプロンプトを介して
）ユーザが音声を調整することを望むかどうかを示すように促すことによって、この決定
は下され得る。別の実施例において、ＶＨＰモバイルアプリを介して音声調整のユーザ選
択を容易にすることによって、かつユーザが音声を調整することを、ユーザがそうするこ
とを選択した場合に可能にすることによって、この決定は下され得る。
【００７３】
ユーザが音声を調整することを望む場合、ＶＨＰは、１４０で所望の音声調整を容易に
し得る。一実施例において、ユーザは、音声を加速および／または減速することによって
音声を調整し得る。例えば、ユーザは、ＶＨＰモバイルアプリの「減速」および／または
「加速」ボタンを利用して音声速度を調整し得る（例えば、２倍または３倍さらに早くま
たはさらに遅くなどの個別のまとまりで、ボタンが押される時間の長さに基づいてなど連
続的に）。この例において、選択された音声部分の長さは、音声の速度に基づいて様々で
あり得る。例えば、ユーザが曲を加速する場合、ユーザは、曲のより長い部分を選択可能
であり得る。別の実施例において、ユーザは、ビデオの継続期間中（例えば、２分間）、
１曲全てを再生することを選択し得、曲が再生される速度は、それに応じて、（例えば、
曲全体が２分で再生されるように）ＶＨＰによって調整され得る。別の実施例において、
ユーザは、音声を自動調整することによって、音声を調整し得る。例えば、ユーザは、Ｖ
ＨＰモバイルアプリの「自動調整」ボタンを利用し得る。さらに別の実施例において、ユ
ーザは、音声に音響効果を付加することにより、音声を調整し得る。例えば、ユーザは、
ＶＨＰモバイルアプリの音響効果選択ウィジェットを利用し得る。
【００７４】
音声は、１４５でビデオに追加され得る。一実施例において、追加される音声は、ビデ
オに録画された音声と置き換えることができる。別の実施例において、追加された音声は
、ビデオに録画された音声と組み合わされ得る。いくつかの例において、ユーザは、ビデ
オで使用されている音声（例えば、曲）について（例えば、ＶＨＰモバイルアプリの「ア
ーティストクレジットを投稿」ボタンを介して）アーティストクレジットを投稿し得る。
例えば、アーティストクレジットは、指定された位置でスクロールし得る（例えば、ビデ
オの下部にわたって）。
【００７５】
ユーザがビデオ効果をビデオに追加することを望むかどうかの決定が１５０で下され得
る。一実施例において、ユーザに、（例えば、「ビデオ効果を追加したいですか？」とい
うプロンプトを介して）ユーザがビデオ効果をビデオに追加することを望むかどうかを示
すように促すことによって、この決定は下され得る。別の実施例において、ＶＨＰモバイ
ルアプリを介してビデオ効果のユーザ選択を容易にすることによって、かつユーザがビデ
オ効果をビデオに追加することを、ユーザがそうすることを選択した場合に可能にするこ
とによって、この決定は下され得る。
【００７６】
ユーザがビデオ効果をビデオに追加することを望む場合、ＶＨＰは、１５５で所望のビ
デオ効果を決定し得る。一実施例において、ユーザは、ＶＨＰモバイルアプリのビデオ効
果選択ウィジェットを介して、所望のビデオ効果（例えば、セピアフィルタ、黒白フィル
タ、単色フィルタ、光フィルタ、ビデオ周辺フレーム、ビデオを加速および／または減速
）を選択し得る。別の実施例において、ユーザは、様々なビデオ要素（例えば、ビデオ開
始要素、ビデオ終了要素、移行要素、コメント要素）をビデオに追加することを望むこと
ができる。例えば、ユーザは、ビデオの滑稽な場面の後にビデオにコメントを挿入するこ
とを望み得る。所望のビデオ効果が、１６０でビデオに追加され得る。
【００７７】
ビデオの説明が、１６５でユーザから取得され得る。一実施例において、説明はタイト
ルを含み得る。別の実施例において、説明は、ビデオについてのユーザの説明を含み得る
。いくつかの実装形態において、説明は、最長および／または最短の長さを有し得る。例
えば、タイトルは、少なくとも１文字の長さ、かつ５０文字以下の長さを有し得る。別の
実施例において、ビデオのユーザの説明は、１４８文字以下である必要がある場合がある
。さらに別の実施例において、説明の最長および／または最短の長さは、ビデオが共有さ
れ得るソーシャルネットワークによって指定されたものに対応し得る（例えば、ツイッタ
ー（登録商標）では最大１４０文字）。
【００７８】
ビデオは、１７０でユーザのビデオライブラリに追加され得る。例えば、ビデオは（例
えば、クライアントに、リモートサーバに）保存され、ユーザのＶＨＰプロファイルに追
加され得る。ユーザが、他のＶＨＰユーザとビデオを共有することを選択した場合、他の
ＶＨＰユーザは、ビデオにコメントする、ビデオをお気に入りとして印付ける、ビデオを
他のユーザに転送する、および／または同種のことをし得る。ユーザはまた、何回ビデオ
が閲覧されたか、コメントが投稿されたか、および／または同様のものを見ることができ
る。
【００７９】
ユーザが１つ以上のソーシャルネットワーク（例えば、フェースブック（登録商標）、Ｔｕｍｂｌｒ、ツイッター、インスタグラム、Ｐｉｎｔｅｒｅｓｔ、Ｖｉｍｅｏ、ユーチューブ）を介してビデオを共有することを望むかどうかのこの決定は、１７５で下され得る。一実施例において、ユーザに、（例えば、「ビデオを共有したいですか？」というプロンプトを介して）ユーザがビデオを共有することを望むかどうかを示すように促すことによって、この決定は下される。別の実施例において、ＶＨＰモバイルアプリを介してビデオを共有するソーシャルネットワークのユーザ選択を容易にすることによって、かつユーザがビデオを共有することを、ユーザがそうすることを選択した場合に可能にすることによって、この決定は下され得る。
【００８０】
ユーザがビデオを共有することを望む場合、ユーザがビデオを共有することを望むソー
シャルネットワークが１８０で決定され得る。一実施例において、ユーザは、ＶＨＰモバ
イルアプリの適切なボタンを介して所望のソーシャルネットワークを選択し、「今すぐ共
有する」ボタンを押して選択されたソーシャルネットワーク上で共有を開始し得る。別の
実施例において、ユーザは、既定の所望のソーシャルネットワークがユーザのために予め
選択されるように、既定の所望のソーシャルネットワーク（例えば、ユーザのプロファイ
ル設定を介して）を指定し、ユーザは、「今すぐ共有する」ボタンを押して選択されたソ
ーシャルネットワーク上で共有を開始し得る。ビデオは、（例えば、ソーシャルネットワ
ークによって提供される適切なＡＰＩを介して）１８５で選択されたソーシャルネットワ
ーク上で共有され得る。
【００８１】
図２は、ＶＨＰの一実施例におけるデータフロー図を示す。図２は、データがＶＨＰへ
、それを通り、および／またはそれからどのように流れ得るかの例を提供する。図２にお
いて、ユーザ２０２は、クライアント２１０（例えば、スマートフォン、携帯メディアプ
レイヤー、タブレット）にビデオ録画２２１を開始するコマンドを提供し得る。一実施例
において、ユーザは、ユーザのビデオヘッドフォン２０６上で録画ボタンを押すことによ
ってビデオ録画を開始するコマンドを提供し得る。別の実施例において、ユーザは、クラ
イアントのＶＨＰモバイルアプリの録画ボタンを押すことによって、ビデオ録画を開始す
るコマンドを提供し得る。
【００８２】
クライアントは、ビデオデータ要求２２５をビデオヘッドフォンに送信し得る。例えば
、ビデオデータ要求はＸＭＬ形式であり得、ビデオ録画を開始するためのコマンド、ビデ
オパラメータ（例えば、ビデオ解像度、ビデオ縦横比、音声品質）、ビデオ録画の長さ、
および／または同種のものなどのデータを含み得る。ビデオヘッドフォンは、ビデオデー
タ要求に基づいてビデオ録画を開始および／または終了し得る。
【００８３】
ビデオヘッドフォンは、ビデオデータ応答２２９をクライアントに送信し得る。例えば
、ビデオデータ応答はＸＭＬ形式であり得、録画されたビデオ（例えば、ビデオおよび／
または音声を含む）、ビデオ情報（例えば、録画の日付および／または時間、ビデオの位
置）、および／または同種のものをなどのデータを含み得る。
【００８４】
クライアントは、ユーザへの調整要求２３３を出力し得る。様々な実施例において、調
整要求は、ユーザがビデオをトリミングする、音声をビデオに追加する、ビデオの音声を
調整する、ビデオ効果をビデオに追加する、ビデオの説明を提供する、ビデオを共有する
、および／または同種のことをするように促し得る。例えば、調整要求は、ＶＨＰモバイ
ルアプリのＧＵＩを介して出力され得る。
【００８５】
ユーザは、調整応答２３７をクライアントに入力し得る。様々な実施例において、調整
応答は、ユーザが、ビデオをトリミングする、音声をビデオに追加する、ビデオの音声を
調整する、ビデオ効果をビデオに追加する、ビデオを説明する、ビデオを共有する、およ
び／または同種のことをすることを望むかどうか、および／またはどのように望むかを示
し得る。例えば、調整応答は、ＶＨＰモバイルアプリのＧＵＩを介して入力され得る。
【００８６】
ユーザが（例えば、ＶＨＰの音声コレクションからの）音声をビデオに追加することを
望む場合、クライアントは、音声データ要求２４１をＶＨＰサーバ２１４に送信し得る。
例えば、ＶＨＰサーバは、（例えば、音声データストア３３０ｃにおいて）ＶＨＰから入
手可能な曲を保存し得る。例えば、音声データ要求はＸＭＬ形式であり得、ユーザの識別
子および／またはパスワード、要求された曲および／またはアルバムおよび／またはプレ
イリストの識別子、音声パラメータ（例えば、音声形式、ｋｂｐｓでの音声品質）、支払
い方法、および／または同種のものなどのデータを含み得る。
【００８７】
ＶＨＰサーバは、音声データ応答２４５をクライアントに送信し得る。例えば、音声デ
ータ応答はＸＭＬ形式であり得、要求された曲および／またはアルバムおよび／またはプ
レイリスト、音声パラメータ、支払い確認、および／または同種のものなどのデータを含
み得る。クライアントは、取得された音声をビデオに追加し得る、および／または取得さ
れた音声および／またはユーザ命令に基づいてビデオを調整し得る。
【００８８】
ユーザがビデオを共有することを望む場合、クライアントは、共有要求２４９をソーシ
ャルネットワーク２１８に送信し得る。共有要求はビデオを含み、ソーシャルネットワー
クに、ユーザのソーシャルネットワークアカウントを介してビデオを投稿するように命令
し得る。例えば、共有要求は、ソーシャルネットワークのＡＰＩコマンドを介して送信さ
れ得、ソーシャルネットワークのユーザの識別子および／またはパスワード、ビデオ、ビ
デオの説明、ビデオ情報（例えば、録画の日付および／または時間、クライアントのＧＰ
Ｓを介して取得されたビデオの位置）、および／または同種のものなどのデータを含み得
る。ソーシャルネットワークは、共有応答２５３をクライアントに送信し得る。例えば、
共有応答は、ソーシャルネットワークのＡＰＩコマンドを介して送信され得、ビデオがソ
ーシャルネットワーク上で共有されることが成功したかどうかを示し得る。
【００８９】
クライアントは、ビデオ出力２５７をユーザに提供し得る。例えば、ビデオ出力は、（
例えば、ビデオデータストア３３０ｄにおいて）ユーザのビデオが保存されたか、ユーザ
のプロファイルに追加されたか、１つ以上のソーシャルネットワーク上で共有されたか、
および／または同種のものをユーザに告げ得る。
【００９０】
ＶＨＰ調整器の詳細な説明
図３は、ＶＨＰの一実施例における例示的なＶＨＰ調整器を図示するブロック図を示す
。ＶＨＰ調整器は、コンピュータシステム（例えば、１つ以上のクラウドコンピューティ
ングシステム、グリッドコンピューティングシステム、仮想化コンピュータシステム、メ
インフレームコンピュータ、サーバ、クライアント、ノード、デスクトップ、スマートフ
ォン、セルラー携帯電話、タブレット、携帯情報端末（ＰＤＡ）、および／または同種の
ものなどのモバイルデバイス、埋め込みコンピュータ、専用コンピュータ、システムオン
チップ（ＳＯＣ））を介して、ＶＨＰの動作を容易にする。例えば、ＶＨＰ調整器は、デ
ータ（プログラムデータおよびプログラム命令を含む）を受信する、取得する、集計する
、処理する、生成する、保存する、検索する、送信する、削除する、入力する、出力する
、および／または同種のことをし得る；プログラム命令を実行し得る；コンピュータシス
テム、ノード、ユーザ、および／または同種のものと通信し得る。様々な実施例において
、ＶＨＰ調整器は、スタンドアローンコンピュータシステム、分散型コンピュータシステ
ム、コンピュータネットワーク内のノード（即ち、トポロジーによって組織化されたコン
ピュータシステムのネットワーク）、ＶＨＰ調整器のネットワーク、および／または同種
のものを備え得る。ＶＨＰ調整器および／または様々なＶＨＰ調整器要素（例えば、プロ
セッサ、システムバス、メモリ、入力／出力デバイス）が、ＶＨＰ動作を容易にする任意
の数の様式で（即ち、任意の数および構成のコンピュータシステム、コンピュータネット
ワーク、ノード、ＶＨＰ調整器要素、および／または同種のものを使用して）組織化され
得ることが理解されるべきである。さらに、様々なＶＨＰ調整器コンピュータシステム、
ＶＨＰ調整器コンピュータネットワーク、ＶＨＰ調整器ノード、ＶＨＰ調整器要素、およ
び／または同種のものが、ＶＨＰ動作を容易にする任意の数の様式で互いの間で通信し得
ることが理解されるべきである。本開示で使用されるとき、「ユーザ」という用語は一般
に、ＶＨＰと対話する人および／またはコンピュータシステムを指す；「サーバ」という
用語は一般に、コンピュータネットワークを介して要求を扱い、および／もしくはクライ
アントからの要求に応答するコンピュータシステム、プログラム、ならびに／またはそれ
らの組み合わせを指す；「クライアント」という用語は一般に、コンピュータネットワー
クを介して要求を生成し、および／もしくはサーバからの応答を扱うコンピュータシステ
ム、プログラム、ユーザ、ならびに／またはそれらの組み合わせを指す；「ノード」とい
う用語は一般に、要求および／もしくは応答の伝送および／または処理を容易にするサー
バ、クライアント、および／もしくは中間コンピュータシステム、プログラム、ならびに
／またはそれらの組み合わせを指す。
【００９１】
ＶＨＰ調整器は、プログラム命令（例えば、ＶＨＰプログラム命令）を実行するプロセ
ッサ３０１を含む。様々な実施例において、プロセッサは、汎用マイクロプロセッサ（例
えば、中央処理ユニット（ＣＰＵ））、専用マイクロプロセッサ（例えば、グラフィック
ス処理ユニット（ＧＰＵ）、物理処理ユニット（ＰＰＵ）、デジタル信号プロセッサ（Ｄ
ＳＰ）、ネットワークプロセッサ、および／または同種のもの）、外部プロセッサ、複数
のプロセッサ（例えば、並列動作、分散型、および／または同種のもの）、マイクロ制御
器（例えば、埋め込みシステム用）、および／または同種のものであり得る。プロセッサ
は、集積回路（ＩＣ）、特定用途向け集積回路（ＡＳＩＣ）、フィールドプログラマブル
・ゲートアレイ（ＦＰＧＡ）、および／または同種のものを使用して実装され得る。様々
な実装形態において、プロセッサは、１つ以上のコアを備え得、埋め込み要素（例えば、
数値演算コプロセッサ、暗号化コプロセッサ、物理コプロセッサ、および／または同種の
ものなどのコプロセッサ、レジスタ、キャッシュメモリ、ソフトウェア）を含み得、同期
（例えば、クロック信号を用いて）または非同期（例えば、中央クロックなしで）、およ
び／または同様のものであり得る。例えば、プロセッサは、ＡＭＤ  ＦＸプロセッサ、Ａ
ＭＤ  Ｏｐｔｅｒｏｎ  プロセッサ、ＡＭＤ  Ｇｅｏｄｅ  ＬＸプロセッサ、Ｉｎｔｅｌ
Ｃｏｒｅ  ｉ７プロセッサ、Ｉｎｔｅｌ  Ｘｅｏｎプロセッサ、Ｉｎｔｅｌ  Ａｔｏｍ
プロセッサ、ＡＲＭ  Ｃｏｒｔｅｘプロセッサ、ＩＢＭ  ＰｏｗｅｒＰＣプロセッサ、お
よび／または同種のものであり得る。
【００９２】
プロセッサは、システムバス３０３を介してシステムメモリ３０５に接続され得る。シ
ステムバスは、電気、電子、光学、無線、および／または同種の通信リンクを介して、Ｖ
ＨＰ調整器のこれらのおよび／または他の要素を相互接続し得る（例えば、システムバス
は、ＶＨＰ調整器要素を相互接続するマザーボードに統合され得、電源からの電力を提供
する）。様々な実施例において、システムバスは、１つ以上の制御バス、アドレスバス、
データバス、メモリバス、周辺バス、および／または同種のものを備え得る。様々な実装
形態において、システムバスは、パラレルバス、シリアルバス、デイジーチェーン設計、
ハブ設計、および／または同種のものであり得る。例えば、システムバスは、フロントサ
イドバス、バックサイドバス、ＡＭＤのハイパートランスポート、インテル  Ｑｕｉｃｋ
Ｐａｔｈ  インターコネクト、周辺構成要素相互接続（ＰＣＩ）バス、加速式グラフィッ
クスポート（ＡＧＰ）バス、ＰＣＩ  Ｅｘｐｒｅｓｓバス、低ピンカウント（ＬＰＣ）バ
ス、ユニバーサルシリアルバス（ＵＳＢ）、および／または同種のものを備え得る。様々
な実施例において、このシステムメモリは、レジスタ、キャッシュメモリ（例えば、レベ
ル１、レベル２、レベル３）、読み出し専用メモリ（ＲＯＭ）（例えば、ＢＩＯＳ、フラ
ッシュメモリ）、ランダムアクセスメモリ（ＲＡＭ）（例えば、スタティックＲＡＭ（Ｓ
ＲＡＭ）、ダイナミックＲＡＭ（ＤＲＡＭ）、エラー訂正コード（ＥＣＣ）メモリ）、お
よび／または同種のものを備え得る。システムメモリは、ディスクリートである、外部に
ある、埋め込まれる、ＣＰＵに一体化される、および／または同種の状態であり得る。プ
ロセッサは、プロセッサによって実行されるプログラム命令（例えば、ＶＨＰプログラム
命令）に従って、システムメモリにアクセスする、それから読み出す、それに書き込む、
保存する、それを消去する、変更する、および／または同種のことをすることができる。
システムメモリは、プロセッサによって、データ（例えば、ＶＨＰデータ）へのアクセス
、それの保存、検索、修正、削除、および／または同種のことを容易にし得る。
【００９３】
様々な実施例において、入力／出力デバイス３１０は、プロセッサおよび／もしくはシ
ステムメモリ、ならびに／またはシステムバスを介して互いに接続され得る。
【００９４】
いくつかの実施例において、入力／出力デバイスは、１つ以上のグラフィックスデバイ
ス３１１を含み得る。プロセッサは、プロセッサによって実行されるプログラム命令（例
えば、ＶＨＰプログラム命令）に従って１つ以上のグラフィックデバイスを使用し得る。
一実装形態において、グラフィックスデバイスは、グラフィック（例えば、マルチメディ
ア、ビデオ、画像、テキスト）データ（例えば、ＶＨＰデータ）を（例えば、接続された
ビデオカメラを介して）取得する、処理する（例えば、フレームをレンダリングする）、
（例えば、接続されたモニタ、テレビ、および／または同種のものを介して）出力する、
および／または同種のことをすることができるビデオカードであり得る。ビデオカードは
、ＰＣＩ、ＡＧＰ、ＰＣＩ  Ｅｘｐｒｅｓｓ、ＵＳＢ、ＰＣカード、エクスプレスカード
、および／または同種のものなどのインタフェースを介してシステムバスに接続され得る
。ビデオカードは、例えば、ＡＭＤのＣｒｏｓｓＦｉｒｅＸおよび／またはＮＶＩＤＩＡ
のＳＬＩ技術を利用することによって１つ以上のグラフィックスプロセッシングユニット
（ＧＰＵ）を使用し得る。ビデオカードは、インタフェース（例えば、ビデオグラフィッ
クスアレイ（ＶＧＡ）、デジタルビデオインタフェース（ＤＶＩ）、ミニ−ＤＶＩ、ミク
ロ−ＤＶＩ、高精細マルチメディアインタフェース（ＨＤＭＩ（登録商標））、ディスプレイポート、サンダーボルト、コンポジットビデオ、Ｓ−ビデオ、構成要素ビデオ、および／または同種のもの）を介して、グラフィックスを表示する１つ以上のディスプレイ（例えば、陰極線管（ＣＲＴ）、液晶ディスプレイ（ＬＣＤ）、タッチスクリーン、および／または同種のもの）に接続され得る。例えば、ビデオカードは、ＡＭＤ  Ｒａｄｅｏｎ  ＨＤ  ６９９０、ＡＴＩ  Ｍｏｂｉｌｉｔｙ  Ｒａｄｅｏｎ  ＨＤ  ５８７０、ＡＭＤ  ＦｉｒｅＰｒｏ  Ｖ９８００Ｐ、ＡＭＤ  Ｒａｄｅｏｎ  Ｅ６７６０  ＭＸＭ  Ｖ３．０モジュール、ＮＶＩＤＩＡ  ＧｅＦｏｒｃｅ  ＧＴＸ  ５９０、ＮＶＩＤＩＡ  ＧｅＦｏｒｃｅ  ＧＴＸ  ５８０Ｍ、Ｉｎｔｅｌ  ＨＤグラフィックス３０００、および／または同種のものであり得る。別の実装形態において、グラフィックスデバイスは、グラフィックデータを（例えば、同軸ケーブルを介して）取得する、処理する（例えば、他のグラフィックデータと重ねる）、取り込む、（例えば、ＭＰＥＧ２からＨ．２６４へなど、異なる形式間で）変換する、および／または同種のことをすることができるビデオキャプチャーボードであり得る。ビデオキャプチャーボードは、ＴＶチューナーであり得、および／またはそれを含み得、様々な放送信号（例えば、ＮＴＳＣ、ＰＡＬ、ＡＴＳＣ、ＱＡＭ）と互換性があり得、ビデオカードの一部および／または同種のものであり得る。例えば、ビデオキャプチャーボードは、ＡＴＩ  Ａｌｌ−ｉｎ−Ｗｏｎｄｅｒ  ＨＤ、Ｈａｕｐｐａｕｇｅ  ＩｍｐａｃｔＶＢＲ  ０１３８１、Ｈａｕｐｐａｕｇｅ  ＷｉｎＴＶ−ＨＶＲ−２２５０、Ｈａｕｐｐａｕｇｅ  Ｃｏｌｏｓｓｕｓ  ０１４１４、および／または同種のものであり得る。グラフィックスデバイスは、ディスクリートである、外部にある、埋め込まれる、ＣＰＵに一体化される、および／または同種の状態であり得る。グラフィックスデバイスは、（例えば、並列に）他のグラフィックスデバイスとの組み合せで動作し、改善された機能、データスループット、色深度、および／または同種のものを提供し得る。
【００９５】
いくつかの実施例において、入力／出力デバイスは、１つ以上の音声デバイス３１３を
含み得る。プロセッサは、プロセッサによって実行されるプログラム命令（例えば、ＶＨ
Ｐプログラム命令）に従って１つ以上の音声デバイスを使用し得る。一実装形態において
、音声デバイスは、音声データ（例えば、ＶＨＰデータ）を（例えば、接続されたマイク
ロフォンを介して）取得する、処理する、（例えば、接続されたスピーカを介して）出力
する、および／または同種のことをすることができる音響カードであり得る。音響カード
は、ＰＣＩ、ＰＣＩ  Ｅｘｐｒｅｓｓ、ＵＳＢ、ＰＣカード、エクスプレスカード、およ
び／または同種のものなどのインタフェースを介してシステムバスに接続され得る。音響
カードは、インタフェース（例えば、先端スリーブ（ＴＳ）、先端リングスリーブ（ＴＲ
Ｓ）、ＲＣＡ、ＴＯＳＬＩＮＫ、光学的）を介して、１つ以上の増幅器、スピーカ（例え
ば、モノ、ステレオ、サラウンド音響）、サブウーファー、デジタル楽器、および／また
は同種のものに接続され得る。例えば、音響カードは、Ｉｎｔｅｌ  ＡＣ’９７統合コー
デックチップ、Ｉｎｔｅｌ  ＨＤ音声統合コーデックチップ、Ｃｒｅａｔｉｖｅ  Ｓｏｕ
ｎｄ  Ｂｌａｓｔｅｒ  Ｘ−Ｆｉ  Ｔｉｔａｎｉｕｍ  ＨＤ、Ｃｒｅａｔｉｖｅ  Ｓｏｕ
ｎｄ  Ｂｌａｓｔｅｒ  Ｘ−Ｆｉ  Ｇｏ！  Ｐｒｏ、Ｃｒｅａｔｉｖｅ  Ｓｏｕｎｄ  Ｂ
ｌａｓｔｅｒ  Ｒｅｃｏｎ  ３Ｄ、Ｔｕｒｔｌｅ  Ｂｅａｃｈ  Ｒｉｖｉｅｒａ、Ｔｕｒ
ｔｌｅ  Ｂｅａｃｈ  Ａｍｉｇｏ  ＩＩ、および／または同種のものであり得る。音声デ
バイスは、ディスクリートである、外部にある、埋め込まれる、マザーボードに一体化さ
れる、および／または同種の状態である。音声デバイスは、（例えば、並列に）他の音声
デバイスとの組み合せで動作し、改善された機能、データスループット、音声品質、およ
び／または同種のものを提供し得る。
【００９６】
いくつかの実施例において、入力／出力デバイスは１つ以上のネットワークデバイス３
１５を含み得る。プロセッサは、プロセッサによって実行されるプログラム命令（例えば
、ＶＨＰプログラム命令）に従って１つ以上のネットワークデバイスを利用し得る。一実
装形態において、ネットワークデバイスは、ネットワークデータ（例えば、ＶＨＰデータ
）を（例えば、カテゴリ５イーサネット（登録商標）ケーブルを介して）を取得する、処理する、（例えば、無線アンテナを介して）出力する、および／または同種のことをすることができるネットワークカードであり得る。ネットワークカードは、ＰＣＩ、ＰＣＩ  Ｅｘｐｒｅｓｓ、ＵＳＢ、ファイヤーワイヤー、ＰＣカード、エクスプレスカード、および／または同種のものなどのインタフェースを介してシステムバスに接続され得る。ネットワークカードは、有線ネットワークカード（例えば、１０／１００／１０００、光ファイバー）、無線ネットワークカード（例えば、Ｗｉ−Ｆｉ  ８０２．１１ａ／ｂ／ｇ／ｎ／ａｃ／ａｄ、ブルートゥース、近距離無線通信（ＮＦＣ）、トランスファージェット）、モデム（例えば、ダイヤルアップ電話ベース、非対称デジタル加入者線（ＡＤＳＬ）、ケーブルモデム、電力線モデム、高速パケットアクセス（ＨＳＰＡ）などのセルラープロトコルに基づいて無線モデム、先進データ最適化（ＥＶ−ＤＯ）、モバイル通信用グローバルシステム（ＧＳＭ（登録商標））、マイクロ波アクセスのための世界的相互運用（ＷｉＭａｘ）、ロングタームエボリューション（ＬＴＥ）、および／または同種のもの、衛星モデム、ＦＭラジオモデム、無線周波数識別（ＲＦＩＤ）モデム、赤外線（ＩＲ）モデム）、および／または同種のものであり得る。例えば、ネットワークカードは、Ｉｎｔｅｌ  ＥＸＰＩ９３０１ＣＴ、Ｉｎｔｅｌ  ＥＸＰＩ９４０２ＰＴ、ＬＩＮＫＳＹＳ  ＵＳＢ３００Ｍ、ＢＵＦＦＡＬＯ  ＷＬＩ−ＵＣ−Ｇ４５０、Ｒｏｓｅｗｉｌｌ  ＲＮＸ−ＭｉｎｉＮ１、ＴＲＥＮＤｎｅｔ  ＴＥＷ−６２３ＰＩ、Ｒｏｓｅｗｉｌｌ  ＲＮＸ−Ｎ１８０ＵＢＥ、ＡＳＵＳ  ＵＳＢ−ＢＴ２１１、ＭＯＴＯＲＯＬＡ  ＳＢ６１２０、Ｕ．Ｓ．Ｒｏｂｏｔｉｃｓ  ＵＳＲ５６８６Ｇ、Ｚｏｏｍ  ５６９７−００−００Ｆ、ＴＲＥＮＤｎｅｔ  ＴＰＬ−４０１Ｅ２Ｋ、Ｄ−Ｌｉｎｋ  ＤＨＰ−Ｗ３０６ＡＶ、ＳｔａｒＴｅｃｈ  ＥＴ９１０００ＳＣ、Ｂｒｏａｄｃｏｍ  ＢＣＭ２０７９１、Ｂｒｏａｄｃｏｍ  ＩｎＣｏｎｃｅｒｔ  ＢＣＭ４３３０、Ｂｒｏａｄｃｏｍ  ＢＣＭ４３６０、ＬＧ  ＶＬ６００、Ｑｕａｌｃｏｍｍ  ＭＤＭ９６００、Ｔｏｓｈｉｂａ  ＴＣ３５４２０トランスファージェットデバイス、および／または同種のものであり得る。ネットワークデバイスは、ディスクリートである、外部にある、埋め込まれる、マザーボードに一体化される、および／または同種の状態である。ネットワークデバイスは、（例えば、並列に）他のネットワークデバイスとの組み合せで動作し、改善されたデータスループット、冗長性、および／または同種のものを提供し得る。例えば、ＩＥＥＥ８０２．３ＡＤ−２０００またはＩＥＥＥ８０２．１ＡＸ−２００８規格に基づいたリンクアグリゲーション制御プロトコル（ＬＡＣＰ）などのプロトコルが使用され得る。ネットワークデバイスを利用して、ローカルエリアネットワーク（ＬＡＮ）、広域ネットワーク（ＷＡＮ）、都市規模ネットワーク（ＭＡＮ）、パーソナルエリアネットワーク、インターネット、イントラネット、ブルートゥースネットワーク、ＮＦＣネットワーク、Ｗｉ−Ｆｉネットワーク、セルラーネットワーク、および／ま��は同種のものに接続され得る。
【００９７】
いくつかの実施例において、入力／出力デバイスは１つ以上の周辺デバイス３１７を含
み得る。プロセッサは、プロセッサによって実行されるプログラム命令（例えば、ＶＨＰ
プログラム命令）に従って、１つ以上の周辺デバイスを使用し得る。様々な実装形態にお
いて、周辺デバイスは、デジタルカメラ、ビデオカメラ、ウェブカメラ、電子的に移動可
能なパンチルトズーム（ＰＴＺ）カメラ、モニタ、タッチスクリーンディスプレイ、アク
ティブシャッタ３Ｄメガネ、ヘッドトラッキング３Ｄメガネ、リモート制御、音声ライン
イン、音声ラインアウト、マイクロフォン、ヘッドフォン、スピーカ、サブウーファー、
ルータ、ハブ、スイッチ、ファイアウォール、アンテナ、キーボード、マウス、トラック
パッド、トラックボール、デジタイズ用タブレット、スタイラス、ジョイスティック、ゲ
ームパッド、ゲームコントローラ、力フィードバックデバイス、レーザ、センサ（例えば
、近接センサ、距離計、周囲温度センサ、周囲光センサ、湿度センサ、加速度計、ジャイ
ロスコープ、モーションセンサ、嗅覚センサ、バイオセンサ、化学センサ、磁力計、レー
ダー、ソーナー、位置センサ（全地球測位システム（ＧＰＳ）、ガリレオ、ＧＬＯＮＡＳ
Ｓなど）、および／または同種のもの）、プリンタ、ファックス、スキャナ、コピー機、
カードリーダ、および／または同種のものであり得る。周辺デバイスは、（ＰＣＩ、ＰＣ
Ｉ  Ｅｘｐｒｅｓｓ、ＵＳＢ、ファイヤーワイヤー、ＶＧＡ、ＤＶＩ、ミニ−ＤＶＩ、マ
イクロ−ＤＶＩ、ＨＤＭＩ、ディスプレイポート、サンダーボルト、コンポジットビデオ
、Ｓ−ビデオ、構成要素ビデオ、ＰＣカード、エクスプレスカード、シリアルポート、パ
ラレルポート、ＰＳ／２、ＴＳ、ＴＲＳ、ＲＣＡ、ＴＯＳＬＩＮＫ、ネットワーク接続（
例えば、イーサネット、光ファイバーなどの有線、および／または同種のもの、Ｗｉ−Ｆ
ｉ、ブルートゥース、ＮＦＣ、セルラーなどの無線、および／または同種のもの）などの
インタフェース、別の入力／出力デバイスのコネクタ、および／または同種のものを介し
てシステムバスに接続され得る。周辺デバイスは、ディスクリートである、外部にある、
埋め込まれる、（例えば、プロセッサに、マザーボードに）一体化される、および／また
は同種の状態であり得る。周辺デバイスは、様々な入力、出力、および処理機能を有する
ＶＨＰ調整器を提供するために、（例えば、並列に）他の周辺デバイスとの組み合せで動
作し得る。
【００９８】
いくつかの実施例において、入力／出力デバイスは１つ以上の保存デバイス３１９を含
み得る。プロセッサは、プロセッサに実行されるプログラム命令（例えば、ＶＨＰプログ
ラム命令）に従って、保存デバイスにアクセスする、それから読み出す、それに書き込む
、保存する、それを消去する、変更する、および／または同種のことをすることができる
。保存デバイスは、プロセッサによってデータ（例えば、ＶＨＰデータ）にアクセス、そ
れを保存、検索、修正、削除、および／または同種のことをすることを容易にし得る。一
実装形態において、プロセッサは、システムバスを介して保存デバイスのデータに直接ア
クセスし得る。別の実装形態において、プロセッサは、保存デバイスにデータをシステム
メモリに転送するように命令し、システムメモリのデータにアクセスすることによって、
保存デバイスのデータにアクセスし得る。様々な実施例において、保存デバイスは、ハー
ドディスクドライブ（ＨＤＤ）、ソリッドステートドライブ（ＳＳＤ）、ディスケットを
用いたフロッピー（登録商標）ディスク、光学媒体を用いた光ディスクドライブ（例えば
、コンパクトディスク（ＣＤ−ＲＯＭ）ドライブ、記録可能ＣＤ（ＣＤ−Ｒ）ドライブ、
書き換え可能ＣＤ（ＣＤ−ＲＷ）ドライブ、デジタル多用途ディスク（ＤＶＤ−ＲＯＭ）
ドライブ、ＤＶＤ−Ｒドライブ、ＤＶＤ−ＲＷドライブ、ブルーレイディスク（ＢＤ）ド
ライブ）、磁気テープを用いた磁気テープドライブ、メモリカード（例えば、ＵＳＢフラ
ッシュドライブ、コンパクトフラッシュ（登録商標）（ＣＦ）カード、セキュアデジタル拡張容量（ＳＤＸＣ）カード）、ネットワーク接続ストレージ（ＮＡＳ）、直接接続ストレージ（ＤＡＳ）、ストレージエリアネットワーク（ＳＡＮ）、他のプロセッサ可読物理媒体、および／または同種のものであり得る。保存デバイスは、インタフェース（ＰＣＩ、ＰＣＩ  Ｅｘｐｒｅｓｓ、ＵＳＢ、ファイヤーワイヤー、ＰＣカード、エクスプレスカード、統合ドライブエレクトロニクス（ＩＤＥ）、シリアルアドバンストテクノロジアタッチメント（ＳＡＴＡ）、外部ＳＡＴＡ（ｅＳＡＴＡ）、小型コンピュータシステムインタフェース（ＳＣＳＩ）、シリアル接続ＳＣＳＩ（ＳＡＳ）、ファイバチャンネル（ＦＣ）、ネットワーク接続（例えば、イーサネット、光ファイバー、および／または同種のものなどの有線；Ｗｉ−Ｆｉ、ブルートゥース、ＮＦＣ、セルラー、および／または同種のものなどの無線）、および／または同種のものなどを介してシステムバスに接続され得る。保存デバイスは、ディスクリートである、外部にある、埋め込まれる、（例えば、マザーボードに、保存デバイスに）一体化される、および／または同種の状態である。保存デバイスは、他の保存デバイスとの組み合せで動作し、改善された機能、データスループット、データ冗長性、および／または同種のものを提供し得る。例えば、独立ディスクの冗長アレイ（ＲＡＩＤ）（例えば、ＲＡＩＤ  ０（ストライピング）、ＲＡＩＤ  １（ミラーリング）、ＲＡＩＤ５（分散パリティ付きストライピング）、ハイブリッドＲＡＩＤ）、単純ディスク束（ＪＢＯＤ）、および／または同種のものなどのプロトコルが使用され得る。別の実施例において、仮想および／または物理的ドライブは、保存プールを生成するためにプールされ得る。さらに別の実施例において、ＳＳＤキャッシュが速度を改善するためにＨＤＤで用いられ得る。
【００９９】
共におよび／または別個に、システムメモリ３０５および１つ以上の保存デバイス３１
９は、メモリ３２０（即ち、物理メモリ）と称され得る。
【０１００】
ＶＨＰメモリ３２０は、プロセッサ動作可能な（例えば、アクセス可能な）ＶＨＰデー
タストア３３０を含み得る。データストア３３０は、ＶＨＰ調整器を介して（例えば、Ｖ
ＨＰによって）使用され得るデータを含む。このようなデータは、データベース（例えば
、データベーステーブルによるリレーショナルデータベース、オブジェクト指向データベ
ース、グラフデータベース、階層型データベース）、フラットファイル（例えば、表形式
に組織化された）、バイナリファイル（例えば、ＧＩＦファイル、ＭＰＥＧ−４ファイル
）、構造化されたファイル（例えば、ＨＴＭＬファイル、ＸＭＬファイル）、テキストフ
ァイル、および／または同種のものなどの１つ以上のデータ形式を用いて組織化され得る
。さらに、データは、アレイ、キュー、スタック、セット、リンクリスト、マップ、ツリ
ー、ハッシュ、レコード、オブジェクト、有向グラフ、および／または同種のものなどの
１つ以上のデータ構造を使用して組織化され得る。様々な実施例において、データ保存は
、ＶＨＰ動作を容易にするために、（即ち、任意の数および構成のデータ形式、データ構
造、ＶＨＰ調整器要素、および／または同種のものを用いて）任意の数の様式で組織化さ
れ得る。例えば、ＶＨＰデータストアは、１つ以上のデータベースとして実装されたデー
タストア３３０ａ〜ｄを含み得る。ユーザデータストア３３０ａは、ユーザＩＤ、ユーザ
名、ユーザ設定、ユーザビデオ、ユーザソーシャルネットワーク、および／または同種の
ものなどのフィールドを含むデータベーステーブルの集合であり得る。クライアントデー
タストア３３０ｂは、クライアントＩＤ、クライアント名、クライアントデバイスタイプ
、クライアント画面解像度、および／または同種のものなどのフィールドを含むデータベ
ーステーブルの集合であり得る。音声データストア３３０ｃは、音声ＩＤ、音声アルバム
、音声プレイリスト、音声形式、音声品質、音声プライス、および／または同種のものな
どのフィールドを含むデータベーステーブルの集合であり得る。ビデオデータストア３３
０ｄは、ビデオＩＤ、ビデオタイトル、ビデオの説明、ビデオの解像度、ビデオの効果、
ビデオの共有設定、および／または同種のものなどのフィールドを含むデータベーステー
ブルの集合であり得る。ＶＨＰ調整器はデータストア３３０を使用して、入力、パラメー
タ、設定、変数、記録、出力、および／または同種のものを把握し得る。
【０１０１】
ＶＨＰメモリ３２０は、プロセッサ動作可能な（例えば、実行可能な）ＶＨＰ構成要素
３４０を含む。構成要素３４０は、ＶＨＰ入力をＶＨＰ出力に変換するために、ＶＨＰ調
整器によって（即ち、プロセッサを介して）実行された（例えば、ＶＨＰによって）プロ
グラム構成要素（プログラム命令および任意の関連付けられたデータストアを含む）を備
える。様々な構成要素およびそれらの副構成要素、機能、アプリケーション、および／ま
たは同種のものが、ＶＨＰ動作を容易にするために任意の数の様式で（即ち、任意の数お
よび構成の構成要素、副構成要素、機能、アプリケーション、ＶＨＰ調整器要素、および
／または同種のものを用いて）組織化され得ることが理解されるべきである。さらに、様
々な構成要素およびそれらの副構成要素、機能、アプリケーション、および／または同種
のものが、ＶＨＰ動作を容易にするために任意の数の様式で互いの間で通信し得ることが
理解されるべきである。例えば、様々な構成要素およびそれらの副構成要素、機能、アプ
リケーション、および／または同種のものが、ＶＨＰ動作を容易にするために任意の数の
様式で組み合わされ、一体化され、集約され、分割され、分散され、および／または同種
のことがなされ得る。別の実施例において、様々な構成要素およびそれらの副構成要素、
機能、アプリケーション、および／または同種のもの単一または複数のインスタンスは、
単一のＶＨＰ調整器ノードの各々の上で、複数のＶＨＰ調整器ノードにわたって、および
／または同様の場所で、インスタンス化され得る。
【０１０２】
様々な実施例において、プログラム構成要素は、アセンブリ言語、Ａｄａ、ＢＡＳＩＣ
、Ｃ、Ｃ＋＋、Ｃ＃、ＣＯＢＯＬ、Ｆｏｒｔｒａｎ、Ｊａｖａ（登録商標）、ＬａｂＶＩＥＷ、Ｌｉｓｐ、Ｍａｔｈｅｍａｔｉｃａ、ＭＡＴＬＡＢ、ＯＣａｍｌ、ＰＬ／Ｉ、Ｓｍａｌｌｔａｌｋ、Ｖｉｓｕａｌ  Ｂａｓｉｃ  ｆｏｒ  Ａｐｐｌｉｃａｔｉｏｎｓ（ＶＢＡ）、ＨＴＭＬ、ＸＭＬ、ＣＳＳ、ＪａｖａＳｃｒｉｐｔ（登録商標）、ＪａｖａＳｃｒｉｐｔ（登録商標）  Ｏｂｊｅｃｔ  Ｎｏｔａｔｉｏｎ（ＪＳＯＮ）、ＰＨＰ、Ｐｅｒｌ、Ｒｕｂｙ、Ｐｙｔｈｏｎ、Ａｓｙｎｃｈｒｏｎｏｕｓ  ＪａｖａＳｃｒｉｐｔ（登録商標）  ａｎｄ  ＸＭＬ（ＡＪＡＸ）、Ｓｉｍｐｌｅ  Ｏｂｊｅｃｔ  Ａｃｃｅｓｓ  Ｐｒｏｔｏｃｏｌ（ＳＯＡＰ）、ＳＳＬ、ＣｏｌｄＦｕｓｉｏｎ、Ｍｉｃｒｏｓｏｆｔ．ＮＥＴ、Ａｐａｃｈｅモジュール、Ａｄｏｂｅ  Ｆｌａｓｈ、Ａｄｏｂｅ  ＡＩＲ、Ｍｉｃｒｏｓｏｆｔ  Ｓｉｌｖｅｒｌｉｇｈｔ、Ｗｉｎｄｏｗｓ  ＰｏｗｅｒＳｈｅｌｌ、バッチファイル、Ｔｃｌ、グラフィカルユーザインタフェース（ＧＵＩ）ツールキット、ＳＱＬ、データベースアダプタ、ウェブアプリケーションプログラミングインタフェース（ＡＰＩ）、アプリケーションサーバ拡張、統合開発環境（ＩＤＥ）、ライブラリ（例えば、オブジェクトライブラリ、クラスライブラリ、リモートライブラリ）、リモートプロシージャコール（ＲＰＣ）、共通オブジェクト・リクエスト・ブローカ・アーキテクチャ（ＣＯＲＢＡ）、および／または同種のものなど、１つ以上のプログラミング言語、手法、ツール、および／または同種のものを使用して開発され得る。
【０１０３】
いくつかの実施例において、構成要素３４０は、動作環境構成要素３４０ａを含み得る
。動作環境構成要素は、様々な副構成要素を介してＶＨＰの動作を容易にし得る。
【０１０４】
いくつかの実装形態において、動作環境構成要素は、オペレーティングシステムの副構
成要素を含み得る。オペレーティングシステム副構成要素は、様々なＶＨＰ調整器要素、
構成要素、データストア、および／または同種のものの使用、それらの間の通信、それら
のための共通のサービス、それらとの対話、それらのセキュリティおよび／または同種の
もののを容易にする抽象化層を提供し得る。
【０１０５】
いくつかの実施例において、オペレーティングシステム副構成要素は、プロセス管理機
能を提供することによって、プロセッサによるプログラム命令（例えば、ＶＨＰプログラ
ム命令）の実行を容易にし得る。例えば、オペレーティングシステム副構成要素は、複数
のプロセッサの使用、複数のプロセスの実行、マルチタスキング、および／または同種の
ものを容易にし得る。
【０１０６】
いくつかの実施例において、オペレーティングシステム副構成要素は、ＶＨＰによるメ
モリの使用を容易にし得る。例えば、オペレーティングシステム副構成要素は、および／
またはメモリを割り当てるおよび／または開放する、メモリアドレス指定を容易にする、
メモリ区分化および／または保護を提供する、仮想メモリ機能を提供する、キャッシュを
容易にする、および／または同種のことができる。別の実施例において、オペレーティン
グシステム副構成要素は、データの保存、検索、削除、集約、処理、生成、および／また
は同種のことをすることを容易にするために、ファイルシステム（例えば、ファイルアロ
ケーションテーブル（ＦＡＴ）、新技術ファイルシステム（ＮＴＦＳ）、階層型ファイル
システムプラス（ＨＦＳ＋）、ユニバーサルディスクフォーマット（ＵＤＦ）、リニアテ
ープファイルシステム（ＬＴＦＳ））を含み得る。
【０１０７】
いくつかの実施例において、オペレーティングシステム副構成要素は、入力／出力デバ
イスに対するおよび／もしくはそれらからのデータの操作ならびに／または処理を容易に
し得る。例えば、オペレーティングシステム副構成要素は、入力／出力デバイスとの対話
を可能にする１つ以上のデバイスドライバ、割り込みハンドラ、ファイルシステム、およ
び／または同種のものを含み得る。
【０１０８】
いくつかの実施例において、オペレーティングシステム副構成要素は、１つ以上の通信
プロトコルのためのサポートを提供することによって、コンピュータネットワーク内でノ
ードとしてのＶＨＰ調整器の動作を容易にし得る。例えば、オペレーティングシステム副
構成要素は、ＴＣＰ、ＩＰ、ユーザデータグラムプロトコル（ＵＤＰ）、モバイルＩＰ、
および／または同種のものなど、ネットワークプロトコルのインターネットプロトコルス
イート（即ち、伝送制御プロトコル／インターネットプロトコル（ＴＣＰ／ＩＰ））のた
めのサポートを含み得る。別の実施例において、オペレーティングシステム副構成要素は
、無線コンピュータネットワーク用のセキュリティプロトコルのためのサポート（例えば
、Ｗｉｒｅｄ  Ｅｑｕｉｖａｌｅｎｔ  Ｐｒｉｖａｃｙ（ＷＥＰ）、Ｗｉ−Ｆｉ  Ｐｒｏ
ｔｅｃｔｅｄ  Ａｃｃｅｓｓ（ＷＰＡ）、ＷＰＡ２）を含み得る。さらに別の実施例にお
いて、オペレーティングシステム副構成要素は、仮想プライベートネットワーク（ＶＰＮ
）のためのサポートを含み得る。
【０１０９】
いくつかの実施例において、オペレーティングシステム副構成要素は、ＶＨＰ調整器の
セキュリティを容易にし得る。例えば、オペレーティングシステム副構成要素は、認証、
承認、監査、ネットワーク侵入検知機能、ファイアウォール機能、アンチウィルス機能、
および／または同種のものなどのサービスを提供し得る。
【０１１０】
いくつかの実施例において、オペレーティングシステム副構成要素は、ユーザインタフ
ェースを生成するために、ＶＨＰによって使用され得るユーザインタフェース要素を提供
することによって、ＶＨＰとのユーザの対話を容易にし得る。一実装形態において、この
ようなユーザインタフェース要素としては、ユーザからの入力を取得するおよび／または
ユーザに出力を提供するために使用され得るウィジェット（例えば、ウィンドウ、ダイア
ログボックス、スクロールバー、メニューバー、タブ、リボン、メニュー、ボタン、テキ
ストボックス、チェックボックス、コンボボックス、ドロップダウンリスト、リストボッ
クス、ラジオボタン、スライダー、スピナー、グリッド、ラベル、進捗インジケータ、ア
イコン、ツールチップ、および／または同種のもの）を挙げることができる。例えば、こ
のようなウィジェットは、Ｍｉｃｒｏｓｏｆｔ  Ｆｏｕｎｄａｔｉｏｎ  Ｃｌａｓｓｅｓ
（ＭＦＣ）、Ａｐｐｌｅ  Ｃｏｃｏａ  Ｔｏｕｃｈ、Ｊａｖａ  Ｓｗｉｎｇ、ＧＴＫ＋、
Ｑｔ、Ｙａｈｏｏ！ユーザインタフェースライブラリ（ＹＵＩ）、および／または同種の
ものなどのウィジェットツールキットを介して使用され得る。別の実装形態において、こ
のようなユーザインタフェース要素は、音響（例えば、ＭＰ３ファイル形式で保存される
イベント通知音響）、アニメーション、振動、および／または様々なイベントの発生につ
いてユーザに知らせるために使用され得る同種のものを含み得る。例えば、オペレーティ
ングシステム副構成要素は、Ｗｉｎｄｏｗｓ  Ａｅｒｏ、Ｍａｃ  ＯＳ  Ｘ  Ａｑｕａ、
ＧＮＯＭＥ  Ｓｈｅｌｌ、ＫＤＥ  Ｐｌａｓｍａ  Ｗｏｒｋｓｐａｃｅｓ（例えば、Ｐｌ
ａｓｍａ  Ｄｅｓｋｔｏｐ、Ｐｌａｓｍａ  Ｎｅｔｂｏｏｋ、Ｐｌａｓｍａ  Ｃｏｎｔｏ
ｕｒ、Ｐｌａｓｍａモバイル）、および／または同種のものなどのユーザインタフェース
を含み得る。
【０１１１】
様々な実施例において、オペレーティングシステムの副構成要素は、単一ユーザオペレ
ーティングシステム、多重ユーザオペレーティングシステム、シングルタスクオペレーテ
ィングシステム、マルチタスキングオペレーティングシステム、単一プロセッサオペレー
ティングシステム、多重プロセッサオペレーティングシステム、分散オペレーティングシ
ステム、埋め込みオペレーティングシステム、リアルタイムオペレーティングシステム、
および／または同種のものを含み得る。例えば、オペレーティングシステム副構成要素は
、ＵＮＩＸ（登録商標）、ＬＩＮＵＸ、ＩＢＭ  ｉ、Ｓｕｎ  Ｓｏｌａｒｉｓ、Ｍｉｃｒｏｓｏｆｔ  Ｗｉｎｄｏｗｓ  Ｓｅｒｖｅｒ、Ｍｉｃｒｏｓｏｆｔ  ＤＯＳ、Ｍｉｃｒｏｓｏｆｔ  Ｗｉｎｄｏｗｓ  ７、Ａｐｐｌｅ  Ｍａｃ  ＯＳ  Ｘ、Ａｐｐｌｅ  ｉＯＳ、Ａｎｄｒｏｉｄ、Ｓｙｍｂｉａｎ、Ｗｉｎｄｏｗｓ  Ｐｈｏｎｅ  ７、Ｂｌａｃｋｂｅｒｒｙ  ＱＮＸ、および／または同種のものなどのオペレーティングシステムを含み得る。
【０１１２】
いくつかの実装形態において、動作環境構成要素は、データベース副構成要素を含み得
る。データベース副構成要素は、データの保存、分析、検索、アクセス、変更、削除、集
約、生成、および／または同種のものなどのＶＨＰ機能を容易にし得る（例えば、データ
ストア３３０の使用）。データベース副構成要素は、これらの機能を提供するために、デ
ータベース言語（例えば、構造化照会言語（ＳＱＬ）、ＸＱｕｅｒｙ）、ストアドプロシ
ージャ、トリガ、ＡＰＩ、および／または同種のものを使用し得る。様々な実施例におい
て、データベース副構成要素は、クラウドデータベース、データウェアハウス、分散デー
タベース、埋め込みデータベース、パラレルデータベース、リアルタイムデータベース、
および／または同種のものを含み得る。例えば、データベース副構成要素は、Ｍｉｃｒｏ
ｓｏｆｔ  ＳＱＬ  Ｓｅｒｖｅｒ、Ｍｉｃｒｏｓｏｆｔ  Ａｃｃｅｓｓ、ＭｙＳＱＬ、Ｉ
ＢＭ  ＤＢ２、Ｏｒａｃｌｅデータベース、および／または同種のものなどのデータベー
スを含み得る。
【０１１３】
いくつかの実装形態において、動作環境構成要素は、情報処理副構成要素を含み得る。
情報処理副構成要素は、様々な情報を提供する、配信する、アップロードする、取得する
、ダウンロードする、および／または同種のことをするための機能を有するＶＨＰを提供
し得る。情報処理副構成要素は、ウェブページ、ファイル、マルチメディア・コンテンツ
（例えば、ストリーミングメディア）、アプリケーション、および／または同種のものな
どの情報の通信を処理するために、ハイパーテキスト転送プロトコル（ＨＴＴＰ）、ハイ
パーテキスト転送プロトコルセキュア（ＨＴＴＰＳ）、ファイル転送プロトコル（ＦＴＰ
）、テルネット、セキュアシェル（ＳＳＨ）、トランスポート層セキュリティ（ＴＬＳ）
、セキュアソケットレイヤ（ＳＳＬ）、ピアツーピア（Ｐ２Ｐ）プロトコル（例えば、ビ
ットトレント）および／または同種のものなどのプロトコルを使用し得る。
【０１１４】
いくつかの実施例において、情報処理副構成要素は、コンピュータネットワーク、ウェ
ブブラウザ、および／または同種のものにおいて、ユーザ、ＶＨＰ構成要素、ノードへの
情報の提供を容易にし得る。例えば、情報処理副構成要素は、ＡｐａｃｈｅＨＴＴＰサー
バ、Ｍｉｃｒｏｓｏｆｔインターネット情報サービス（ＩＩＳ）、Ｏｒａｃｌｅ  Ｗｅｂ
Ｌｏｇｉｃサーバ、Ａｄｏｂｅ  Ｆｌａｓｈメディアサーバ、Ａｄｏｂｅ  Ｃｏｎｔｅｎ
ｔサーバ、および／または同種のものなどのウェブサーバを含み得る。さらに、ウェブサ
ーバは、拡張、プラグイン、アドオン、サーブレット、および／または同種のものを含み
得る。例えば、これらは、Ａｐａｃｈｅモジュール、ＩＩＳ拡張、Ｊａｖａサーブレット
、および／または同種のものを含み得る。いくつかの実装形態において、情報処理副構成
要素は、Ｏｐｅｎ  Ｄａｔａｂａｓｅ  Ｃｏｎｎｅｃｔｉｖｉｔｙ（ＯＤＢＣ）、Ｊａｖ
ａ  Ｄａｔａｂａｓｅ  Ｃｏｎｎｅｃｔｉｖｉｔｙ（ＪＤＢＣ）、ＡｃｔｉｖｅＸ  Ｄａ
ｔａ  Ｏｂｊｅｃｔｓ  ｆｏｒ．ＮＥＴ（ＡＤＯ．ＮＥＴ）、および／または同種のもの
などの規格を介して、データベース副構成要素と通信し得る。例えば、情報処理副構成要
素は、データベース副構成要素を介して、データ（例えば、データストア３３０からのデ
ータ）を保存、分析、検索、アクセス、変更、削除、集約、生成、および／または同種の
ことをするためにこのような規格を用いる。
【０１１５】
いくつかの実施例において、情報処理副構成要素は、コンピュータネットワーク、ウェ
ブサーバ、および／または同種のものにおいて、ユーザ、ＶＨＰ構成要素、ノードから取
得された情報の提示を容易にし得る。例えば、情報処理副構成要素は、Ｍｉｃｒｏｓｏｆ
ｔ  Ｉｎｔｅｒｎｅｔ  Ｅｘｐｌｏｒｅｒ、Ｍｏｚｉｌｌａ  Ｆｉｒｅｆｏｘ、Ａｐｐｌ
ｅ  Ｓａｆａｒｉ、Ｇｏｏｇｌｅ  Ｃｈｒｏｍｅ、Ｏｐｅｒａ  Ｍｏｂｉｌｅ、Ａｍａｚ
ｏｎ  Ｓｉｌｋ、Ｎｉｎｔｅｎｄｏ  ３ＤＳ  Ｉｎｔｅｒｎｅｔ  Ｂｒｏｗｓｅｒ、およ
び／または同種のものなどのウェブブラウザを含み得る。さらに、ウェブブラウザは、拡
張機能、プラグイン、アドオン、アプレット、および／または同種のものを含み得る。例
えば、これらは、Ａｄｏｂｅ  Ｆｌａｓｈプレイヤー、Ａｄｏｂｅ  Ａｃｒｏｂａｔプラ
グイン、Ｍｉｃｒｏｓｏｆｔ  Ｓｉｌｖｅｒｌｉｇｈｔプラグイン、Ｍｉｃｒｏｓｏｆｔ
Ｏｆｆｉｃｅプラグイン、Ｊａｖａプラグイン、および／または同種のものを含み得る
。
【０１１６】
いくつかの実装形態において、動作環境構成要素は、メッセージング副構成要素を含み
得る。メッセージング副構成要素は、ＶＨＰメッセージ通信機能を容易にし得る。メッセ
ージング副構成要素は、ＶＨＰメッセージ通信を容易にするために、簡易メール転送プロ
トコル（ＳＭＴＰ）、インターネットメッセージアクセスプロトコル（ＩＭＡＰ）、ポス
トオフィスプロトコル（ＰＯＰ）、Ｅｘｔｅｎｓｉｂｌｅ  Ｍｅｓｓａｇｉｎｇ  ａｎｄ
Ｐｒｅｓｅｎｃｅ  Ｐｒｏｔｏｃｏｌ（ＸＭＰＰ）、リアルタイムトランスポートプロ
トコル（ＲＴＰ）、Ｉｎｔｅｒｎｅｔ  Ｒｅｌａｙ  Ｃｈａｔ（ＩＲＣ）、Ｓｋｙｐｅプ
ロトコル、ＡＯＬのＯｐｅｎ  Ｓｙｓｔｅｍ  ｆｏｒ  Ｃｏｍｍｕｎｉｃａｔｉｏｎ  ｉ
ｎ  Ｒｅａｌｔｉｍｅ（ＯＳＣＡＲ）、メッセージングアプリケーションプログラミング
インタフェース（ＭＡＰＩ）、フェースブック  ＡＰＩ、および／または同種のものなど
のプロトコルを使用し得る。メッセージング副構成要素は、電子メール、インスタントメ
ッセージ、ボイスオーバーＩＰ（ＶｏＩＰ）、ビデオ会議、ショートメッセージサービス
（ＳＭＳ）、ウェブチャット、および／または同種のものなどのメッセージ通信を容易に
し得る。例えば、メッセージング副構成要素は、Ｍｉｃｒｏｓｏｆｔ  Ｅｘｃｈａｎｇｅ
サーバ、Ｍｉｃｒｏｓｏｆｔ  Ｏｕｔｌｏｏｋ、Ｓｅｎｄｍａｉｌ、ＩＢＭ  Ｌｏｔｕｓ
Ｄｏｍｉｎｏ、Ｇｍａｉｌ、ＡＯＬ  Ｉｎｓｔａｎｔ  Ｍｅｓｓｅｎｇｅｒ（ＡＩＭ）
、Ｙａｈｏｏ  Ｍｅｓｓｅｎｇｅｒ、ＩＣＱ、Ｔｒｉｌｌｉａｎ、Ｓｋｙｐｅ、Ｇｏｏｇ
ｌｅ  Ｔａｌｋ、Ａｐｐｌｅ  ＦａｃｅＴｉｍｅ、Ａｐｐｌｅ  ｉＣｈａｔ、フェースブ
ックチャット、および／または同種のものを含み得る。
【０１１７】
いくつかの実装形態において、動作環境構成要素は、ＶＨＰセキュリティを容易にする
セキュリティ副構成要素を含み得る。いくつかの実施例において、セキュリティ副構成要
素は、ＶＨＰ、ＶＨＰによって提供される１つ以上のサービス、ＶＨＰと関連付けられる
データ（例えば、データストア３３０に保存される）、ＶＨＰと関連付けられる通信メッ
セージ、および／または同種のものへのアクセスを、承認されたユーザに対して制限し得
る。ログイン画面を介して、認証情報を取得するＡＰＩを介して、認証トークンを介して
、および／または同種のことによって、アクセスを認めることができる。例えば、ユーザ
は、ユーザ名および／またはパスワード（例えば、文字列、画像パスワード）、個人識別
番号（ＰＩＮ）、ＩＤカード、磁気ストライプカード、スマートカード、バイオメトリッ
ク識別子（例えば、指紋、声紋、網膜スキャン、顔スキャン）、ジェスチャ（例えば、ス
ワイプ）、メディアアクセス制御（ＭＡＣ）アドレス、ＩＰアドレス、および／または同
種のものを提供することによって、アクセスを取得し得る。アクセス制御リスト（ＡＣＬ
）、機能ベースのセキュリティ、階層保護ドメイン、および／または同種のものなどの様
々なセキュリティモデルを使用して、アクセスを制御し得る。例えば、セキュリティ副構
成要素は、デジタル著作権管理（ＤＲＭ）、ネットワーク侵入検知、ファイアウォール機
能、および／または同種のものを容易にし得る。
【０１１８】
いくつかの実施例において、セキュリティ副構成要素は、データの暗号化および／また
は解読を容易にすることによって、（例えば、暗号化されたデータを保存することによっ
て）暗号化技術を使用して情報を保護する、（例えば、デジタル署名を介して）メッセー
ジ認証を確認する、整合性チェックを提供する（例えば、チェックサム）、および／また
は同種のことをすることができる。さらに、ステガノグラフィ技術は、暗号化技術の代わ
りに、またはそれと組み合わせて使用され得る。ＶＨＰによる暗号化技術は、共有鍵を使
用した対称鍵暗号（例えば、トリプルデータ暗号化規格（ＤＥＳ）、高度暗号化規格（Ａ
ＥＳ）などの１つ以上のブロック暗号；リベスト暗号４（ＲＣ４）などのストリーム暗号
、ラビットを使用した）、（例えば、リベスト−シャミール−エーデルマン（ＲＳＡ）、
デジタル署名アルゴリズム（ＤＳＡ）などのアルゴリズムを使用した）公開鍵／秘密鍵の
ペアを使用した非対称鍵暗号化、（例えば、メッセージダイジェスト５（ＭＤ５）、セキ
ュアハッシュアルゴリズム２（ＳＨＡ−２）などのアルゴリズムを使用した）暗号化ハッ
シュ機能、および／または同種のものを含み得る。例えば、セキュリティ副構成要素は、
プリティグッドプライバシー（ＰＧＰ）などの暗号化システムを含み得る。
【０１１９】
いくつかの実装形態において、動作環境構成要素は、ＶＨＰ仮想化機能を容易にする仮
想化副構成要素を含み得る。いくつかの実施例において、仮想化副構成要素は、（例えば
、仮想化マシーンを介して）プラットフォーム仮想化のためのサポートを提供し得る。プ
ラットフォーム仮想化タイプは、完全仮想化、部分的仮想化、準仮想化、および／または
同種のものを含み得る。いくつかの実装形態において、プラットフォーム仮想化は、（例
えば、ＡＭＤ−Ｖ、Ｉｎｔｅｌ  ＶＴ−ｘ、および／または同種のものなどの技術を使用
したプロセッサからのサポートを介した）ハードウェア支援であり得る。いくつかの実施
例において、仮想化副構成要素は、動作システムレベル仮想化、デスクトップ仮想化、ワ
ークスペース仮想化、モバイル仮想化、アプリケーション仮想化、データベース仮想化、
および／または同種のものなどを介して、様々な他の仮想化された環境のためのサポート
を提供し得る。いくつかの実施例において、仮想化副構成要素は、メモリ仮想化、保存仮
想化、データ仮想化、ネットワーク仮想化、および／または同種のものなどを介して、様
々な仮想化リソースのためのサポートを提供し得る。例えば、仮想化副構成要素は、ＶＭ
ｗａｒｅソフトウェアスイート（例えば、ＶＭｗａｒｅサーバ、ＶＭｗａｒｅ  Ｗｏｒｋ
ｓｔａｔｉｏｎ、ＶＭｗａｒｅプレイヤー、ＶＭｗａｒｅ  ＥＳＸ、ＶＭｗａｒｅ  ＥＳ
Ｘｉ、ＶＭｗａｒｅ  Ｔｈｉｎアプリ、ＶＭｗａｒｅ  Ｉｎｆｒａｓｔｒｕｃｔｕｒｅ）
、Ｐａｒａｌｌｅｌｓソフトウェアスイート（例えば、Ｐａｒａｌｌｅｌｓサーバ、Ｐａ
ｒａｌｌｅｌｓ  Ｗｏｒｋｓｔａｔｉｏｎ、Ｐａｒａｌｌｅｌｓ  Ｄｅｓｋｔｏｐ、Ｐａ
ｒａｌｌｅｌｓ  モバイル、Ｐａｒａｌｌｅｌｓ  Ｖｉｒｔｕｏｚｚｏ  Ｃｏｎｔａｉｎ
ｅｒｓ）、Ｏｒａｃｌｅソフトウェアスイート（例えば、ＳＰＡＲＣ用のＯｒａｃｌｅ  
ＶＭサーバ、ｘ８６用のＯｒａｃｌｅ  ＶＭサーバ、Ｏｒａｃｌｅ  ＶＭ  Ｖｉｒｔｕａ
ｌＢｏｘ、Ｏｒａｃｌｅ  Ｓｏｌａｒｉｓ  １０、Ｏｒａｃｌｅ  Ｓｏｌａｒｉｓ  １１
）、Ｉｎｆｏｒｍａｔｉｃａ  Ｄａｔａ  Ｓｅｒｖｉｃｅｓ、Ｗｉｎｅ、および／または
同種のものを含み得る。
【０１２０】
いくつかの実施例において、構成要素３４０は、ユーザインタフェース構成要素３４０
ｂを含み得る。ユーザインタフェース構成要素は、ユーザインタフェースを提供すること
によってＶＨＰとのユーザの対話を容易にし得る。様々な実装形態において、ユーザイン
タフェース構成要素は、物理的制御（例えば、物理的なボタン、スイッチ、ノブ、ホイー
ル、ダイヤル）、テキストユーザインタフェース、音声ユーザインタフェース、ＧＵＩ、
声認識、ジェスチャ認識、タッチおよび／またはマルチタッチユーザインタフェース、メ
ッセージ、ＡＰＩ、および／または同種のものを介して、ユーザからの入力を取得し、お
よび／またはユーザへの出力を提供するためにプログラム命令を含み得る。いくつかの実
装形態において、ユーザインタフェース構成要素は、動作環境構成要素のオペレーティン
グシステム副構成要素によって提供されるユーザインタフェース要素を使用し得る。例え
ば、ユーザインタフェース構成要素は、ウィジェットツールキットを介して、オペレーテ
ィングシステム副構成要素のユーザインタフェース要素を使用し得る。いくつかの実装形
態において、ユーザインタフェース構成要素は、動作環境構成要素の情報処理副構成要素
によって提供される情報提示機能を使用し得る。例えば、ユーザインタフェース構成要素
は、ＨＴＭＬ５、Ａｄｏｂｅ  Ｆｌａｓｈ、Ｍｉｃｒｏｓｏｆｔ  Ｓｉｌｖｅｒｌｉｇｈ
ｔ、および／または同種のものを介してユーザインタフェースを提供するために、ウェブ
ブラウザを使用し得る。
【０１２１】
いくつかの実施例において、構成要素３４０は、先行する図により詳細に説明された構
成要素ＷＶＳ３４０ｃのうちのいずれかを含み得る。
【０１２２】
少なくとも１つのカメラを含むビデオヘッドフォン
第１のヘッドフォンユニット内にあるまたはそれの一部を形成する第１のビデオカメラ
と、第２のヘッドフォンユニットの内にあるまたはそれの一部を形成する第２のビデオカ
メラとを含むビデオヘッドフォンであって、第１のヘッドフォンユニットおよび第２のヘ
ッドフォンユニットがヘッドバンドによって接続される、ビデオヘッドフォンが提供され
る。ヘッドフォンユニットは、有機材料（例えば、木材）を含み得る。ヘッドバンドは主
に、金属であり得る。ビデオカメラは独立して、それらのそれぞれのヘッドフォンユニッ
ト上で回転可能であり得る。ビデオカメラは独立して、それらのそれぞれのヘッドフォン
ユニット上で共通の回転軸の周りを回転可能であり得る。ビデオカメラは回転可能であり
得るが、それらは回転に強固に抵抗し得る。ヘッドフォンユニットは着色され得る。ヘッ
ドフォンユニットは鮮やかに着色され得る。図２１は、ビデオヘッドフォンの２つの異な
る斜視図の例を示す。図７０は、ビデオヘッドフォンの一実施例を示す。図３０（Ａ）は
、２つのヘッドフォンユニットの各々が回転可能なカップ上にビデオカメラを含む、ビデ
オヘッドフォンの一実施例を示す。
【０１２３】
第１のヘッドフォンユニット内にあるまたはそれの一部を形成する第１のビデオカメラ
と、第２のヘッドフォンユニット内にあるまたはそれの一部を形成する第２のビデオカメ
ラとを含むビデオヘッドフォンであって、第１のヘッドフォンユニットおよび第２のヘッ
ドフォンユニットがヘッドバンドによって接続され、第１のヘッドフォンユニットが第１
のカメラに対して回転可能である第３のカメラを含む、ビデオヘッドフォンが提供される
。第３のカメラは、第１のヘッドフォンユニットと第２のヘッドフォンユニットとの間で
軸の周りを回転可能であり得る。ヘッドフォンユニットは、有機材料（例えば、木材）を
含み得る。ヘッドバンドは主に、金属であり得る。ビデオカメラは独立して、それらのそ
れぞれのヘッドフォンユニット上で回転可能であり得る。第１および第２のビデオカメラ
は、それらのそれぞれのヘッドフォンユニット上に固定され得る。ビデオカメラは独立し
て、それらのそれぞれのヘッドフォンユニット上で共通の回転軸の周りを回転可能であり
得る。ビデオカメラは回転可能であり得るが、それらは回転に強固に抵抗し得る。ヘッド
フォンユニットは着色され得る。ヘッドフォンユニットは鮮やかに着色され得る。図６９
は、ビデオヘッドフォンの斜視図の一実施例を示す。
【０１２４】
パノラマビデオ／画像を取り込むことができる３つのカメラ（例えば、９時の方向、３
時の方向、回転専用）を有するヘッドフォンが提供される。図６９は、ビデオヘッドフォ
ンの斜視図の一実施例を示す。
【０１２５】
ビデオヘッドフォンのヘッドフォンユニットは、回転可能部分を含み得る。回転軸は、
ビデオヘッドフォンの第１のヘッドフォンユニットから第２のヘッドフォンユニットまで
存在し得る。図２２（Ａ）は、ヘッドフォンユニットの回転可能な部分およびヘッドフォ
ンユニットの固定部分の分解画像を示す。ヘッドフォンユニットのサブアセンブリ部分は
、カメラおよびカメラのための筐体を含み得る。カメラは、ねじを回すことにより調整範
囲内でカメラを直線的に並進させるように、ねじ調整器に取り付けられ得る。図２２（Ｂ
）は、ねじ調整器に装着されたカメラ、および中でねじを回すことにより調整範囲内でカ
メラを直線的に並進させる筐体の分解画像を示す。
【０１２６】
ビデオヘッドフォンのヘッドフォンユニットは、一体的に装着されたカメラを含む回転
可能な部分を含み得る。回転軸は、ビデオヘッドフォンの第１のヘッドフォンユニットか
ら第２のヘッドフォンユニットまで存在し得る。図２３（Ａ）は、ヘッドフォンユニット
の一体的に装着されたカメラを含む回転可能な部分、およびヘッドフォンユニットの固定
部分の分解画像を示す。ヘッドフォンユニットは、回転可能なカメラが予め選択された方
向を覗く固定された開口部を設ける開口部を含み得る。例えば、前方方向を覗くための第
１の開口部および後方方向を覗くための第２の開口部が存在し得る。カメラが開口部を通
して覗くことができない方向に回転される場合、このような方向は、それがカメラレンズ
表面のスクラッチを防ぐので、カメラが使用されないときにカメラを保存するために好適
である。図２３（Ｂ）は、開口部の一実施例を示す。
【０１２７】
ビデオヘッドフォンのヘッドフォンユニットは、直線的に並進可能なカメラを含み得る
。一実施例が図２４（Ａ）に示される。ビデオヘッドフォンのヘッドフォンユニットは、
回転可能なカメラを含み得、そのカメラは、ヘッドフォンユニット内に固定された開口部
を通じて覗き得る。一実施例が図２４（Ｂ）に示される。ビデオヘッドフォンのヘッドフ
ォンユニットは、回転可能なカメラを含み得、そのカメラは、回転の３６０度の範囲で任
意の方向で覗き得る。一実施例が図２４（Ｃ）に示される。
【０１２８】
ビデオヘッドフォンが提供され得、該ビデオヘッドフォンがヘッドバンドを含み、該ヘ
ッドバンド上に摺動可能なカメラを受容するように構成された摺動可能なカメラモジュー
ルおよび複数のソケットモジュールが設けられる。一実施例が図２５（Ａ）に示される。
固定されたソケットモジュールの一実施例が図２５（Ｂ）に示される。カメラモジュール
は、それが前方または後方配向に向くようにカメラの回転を可能にし得る。一実施例が図
２５（Ｃ）に示される。カメラモジュールは、ヘッドバンド上で自由に摺動可能であり得
るか、またはそれがヘッドバンド上での摺動に強固に抵抗し得るがそれでも依然としてヘ
ッドバンドの上で摺動可能であり得る。一実施例が図２５（Ｄ）に示される。カメラモジ
ュールは、ソケットモジュールにクリック可能に取り付け可能であり得る。一実施例が図
２５（Ｅ）に示される。
【０１２９】
ビデオヘッドフォンが提供され得、該ビデオヘッドフォンがヘッドバンドを含み、該ヘ
ッドバンド上に摺動可能なカメラを受容するように構成された摺動可能なカメラモジュー
ルおよび複数のソケットモジュールが設けられる。カメラモジュールは、それが前方また
は後方配向に向くようにカメラの回転を可能にし得る。一実施例が図３１（Ａ）に示され
る。カメラモジュールは、ヘッドバンド上で自由に摺動可能であり得るか、またはそれが
ヘッドバンド上での摺動に強固に抵抗し得るがそれでも依然としてヘッドバンドの上で摺
動可能であり得る。一実施例が図３１（Ｂ）に示される。固定されたソケットモジュール
の一実施例が図３１（Ｃ）に示される。カメラモジュールは、ソケットモジュールにクリ
ック可能に取り付け可能であり得る。一実施例が図３１（Ｄ）に示される。
【０１３０】
左のヘッドフォンカップおよび右のヘッドフォンカップが互いに左右対称ではないビデ
オヘッドフォンが提供され得る。例えば、これは、ビデオヘッドフォンの特定の機能が一
方のカップ内で実施され、他方のカップ内で複製されないことが理由であることもある。
左のヘッドフォンカップは、ブルートゥース、Ｗｉｆｉモジュール、プロセッサ、回路基
板、マイクロフォン、カメラレンズ、オンボードビデオエンコーディングによるＨＤカメ
ラモジュール、外部メモリソケット（例えば、マイクロＳＤカード用）、電源、別個のビ
デオデータ源、別個の音声源、およびＵＳＢコネクタソケットを含み得る。一実施例が図
２６（Ａ）に示される。右のヘッドフォンカップは、マイクロフォン、カメラレンズ、オ
ンボードビデオエンコーディングによるＨＤカメラモジュール、電源、電池、電池管理シ
ステム、ビデオデータ出力ライン、および音声データ出力ラインを含み得る。一実施例が
図２６（Ｂ）に示される。
【０１３１】
各ヘッドフォンカップが回転カップアセンブリを含み得るビデオヘッドフォンが提供さ
れ得る。回転カップアセンブリは、カップ、ハブ、回路基板、音声ドライバ、およびビデ
オヘッドフォンの着用者の耳への接触に好適なパディングを含み得る。カップは、ハブに
相対的にその主軸の周りを回転し得る。ケーブルは回転軸の中心を通って通過し得る。一
実施例が図２６（Ｃ）に示される。
【０１３２】
ヘッドフォンユニットは周囲光センサを含み得る。ヘッドフォンユニットはカメラを含
み得る。ヘッドフォンユニットは、主要音声出力ジャックを含み得る。ヘッドフォンユニ
ットは、共有のための第２の音声出力ジャックを含み得る。一実施例が図２８に示される
。
【０１３３】
ビデオヘッドフォンが提供され得、該ビデオヘッドフォンがヘッドバンドを含み、該ヘ
ッドバンド上に摺動可能なカメラを受容するように構成された摺動可能なカメラモジュー
ルおよび複数のソケットモジュールが提供され、ビデオヘッドフォンが、各々が回転可能
なカップ上にビデオカメラを有するヘッドフォンユニットを含む。一実施例が図３０（Ａ
）に示される。ビデオカメラソケットモジュールの一実施例が図３０（Ｂ）に示される。
ビデオカメラは、回転可能なカップ上に提供され得る。一実施例が図３０（Ｃ）に示され
る。
【０１３４】
ビデオヘッドフォンに接続可能なモバイルデバイス（例えば、モバイル電話）が提供さ
れ、モバイルデバイスのソケットに挿入可能である発光録画表示器がさらに提供され、モ
バイルデバイスがビデオデータを録画するとき、発光録画表示器およびモバイルデバイス
が、発光録画表示器を照明するように構成される。発光録画表示器は、録画されたビデオ
の感知された周囲色に基づいてその色を変化させ得る。発光録画表示器は、ビデオ信号が
ビデオヘッドフォンからモバイルデバイスによって受信されるリードまたはアンテナの一
部を形成し得る。モバイルデバイスはｉｐｈｏｎｅ（登録商標）であり得る。一実施例が図２７に示される。
【０１３５】
有線、ライトニング、ブルートゥース、および近距離無線通信（ＮＦＣ）ビデオ転送可
能であり得るビデオヘッドフォンが提供される。ビデオヘッドフォンと通信するモバイル
デバイスが提供され、モバイルデバイスが、録画がオンの状態である領域にいる人物に警
告するために録画するときに発光する発光有線コネクタと接続され得る。有線コネクタは
、ユニバーサルシリアルバス（ＵＳＢ）オン・ザ・ゴー（ＯＴＧ）を有し得、９ピンおよ
びライトニングコネクタはｉｐｈｏｎｅおよびアンドロイドの両方について終了する。発
光有線コネクタの実施例が図２７に示される。
【０１３６】
モバイルデバイス（例えば、スマートフォン）に接続可能なビデオヘッドフォンを含む
システムが提供される。モバイルデバイスは、有線または無線であり得る接続を介してビ
デオヘッドフォンに対してビデオデータ要求を行うように動作可能であり得る。ビデオヘ
ッドフォンは、モバイルデバイスにビデオデータを提供するために要求に応答するように
構成され得る。モバイルデバイスは、サードパーティのデバイスに、サードパーティのデ
バイスとモバイルデバイス上のビデオコンテンツを共有するように、要求するように構成
され得る。モバイルデバイスは、サードパーティのデバイスと共有するビデオコンテンツ
に関係する応答および／またはコメントを受信するように構成され得る。モバイルデバイ
スは、例えば、モバイルデバイスのユーザインタフェースを介して、またはビデオヘッド
フォン上でビデオ録画を開始するモバイルデバイスと接続されたサードパーティのデバイ
スからビデオ録画を開始する要求を受信するように構成され得る。モバイルデバイスは、
ビデオデータ上で受信されたライブコメントの出力を、例えば、デバイスのユーザインタ
フェースに、またはモバイルデバイスに接続されたサードパーティのデバイスに提供する
ように構成され得る。モバイルデバイスは、ビデオデータ上で受信されたライブコメント
の提供された出力に対する返信においてコメントを受信するように構成され得、例えば、
これらの返信はデバイスのユーザインタフェースを介して、またはモバイルデバイスに接
続されたサードパーティのデバイスから受信される。一実施例が図２９に示される。
【０１３７】
モバイルデバイス（例えば、スマートフォン）に接続可能なビデオヘッドフォンを含む
システムが提供される。モバイルデバイスは、有線または無線であり得る接続を介してビ
デオヘッドフォンに対して音声データ要求を行うように動作可能であり得る。ビデオヘッ
ドフォンは、モバイルデバイスに音声データを提供する要求に応答するように構成され得
る。モバイルデバイスは、ビデオヘッドフォンのヘッドフォン上での再生のための可聴翻
訳を再生するように構成され得る。モバイルデバイスは、例えば、モバイルデバイスのユ
ーザインタフェースを介して、またはモバイルデバイスと接続されたサードパーティのデ
バイスから、モバイルデバイスの音声ファイルの翻訳を開始する、可聴翻訳の要求を受信
するように構成され得る。モバイルデバイスは、例えば、モバイルデバイスのユーザイン
タフェースを介して、またはモバイルデバイスと接続されたサードパーティのデバイスか
ら、モバイルデバイス上の選択された音声ファイルの翻訳を開始する、翻訳開始入力選択
を受信するように構成され得る。モバイルデバイスは、例えば、デバイスのユーザインタ
フェースに、またはモバイルデバイスと接続されたサードパーティのデバイスに、翻訳要
求に対する応答の画面上の表示を提供するように構成され得る。モバイルデバイスは、モ
バイルデバイスと接続されたサーバに、例えば、翻訳されるべき音声ファイル、および指
定された出力言語を含む翻訳データ要求を送信するように構成され得る。モバイルデバイ
スは、要求に対する応答でサーバからの翻訳データ応答を受信するように構成され得る。
一実施例が図３７に示される。
【０１３８】
ユーザが通常のフレーム（例えば、縦横比３：４）をパノラマビデオから選択すること
を可能にするモバイルデバイス（例えば、モバイル電話）インタフェースが存在し得る。
移動物体に基づく自動パノラマビデオフレーミングがあり得る。例えば、人物が左から右
に通過すると、その人物のパノラマビデオを構成し、縦横比３：４の標準ビデオを作るこ
とが可能であり、これはカメラが左から右に回るように見える。
【０１３９】
一実施例において、ビデオヘッドフォンの３つの十分に分離されたカメラが設けられ、
第１のカメラは第１のヘッドフォンユニット上にあり、第２のビデオカメラは第２のヘッ
ドフォンユニット上にあり、第３のビデオカメラは、ビデオヘッドフォンのヘッドバンド
上にある。３つのカメラからのビデオ画像は共に繋ぎ合わされるか、または編集され得る
。共に繋ぎ合わされたまたは編集された画像は、例えば、一定半径の画像、例えば、可変
半径の画像を提供し得る。カメラは、物体の移動を検出し得る。一実施例が図３５に示さ
れる。
【０１４０】
例えば、ビデオヘッドフォンのヘッドバンド上に３つの十分に分離されたカメラが設け
られる。３つのカメラからのビデオ画像は共に繋ぎ合わされるか、または編集され得る。
共に繋ぎ合わされたまたは編集された画像は、例えば、一定半径の画像、例えば、可変半
径の画像を提供し得る。カメラは、物体の移動を検出し得る。一実施例が図３６に示され
る。
【０１４１】
一実施例では、ビデオ安定化のためのカメラの移動を決定するために、加速度計／ジャ
イロセンサを有するヘッドフォンが設けられる。
【０１４２】
一実施例では、中間周囲色を決定し、より良くコンテキスト情報に対応する音楽を提案
するために、周囲光／色センサを有するベッドフォンが設けられる（一実施例では、この
ためにカメラを使用することができる）。周囲光センサを含むヘッドフォンユニットの一
実施例は、図２８に示される。
【０１４３】
一実施例では、音楽認識／音響録音のための環境における空間音源を選択し得るいくつ
かのマイクロフォンを有するベッドフォンが設けられる。一実施例では、音楽提案をより
良くするためにおよび／または録画を制御するために脳波を取り込むためのアクセサリを
有するヘッドフォンが設けられる。
【０１４４】
一実施例では、ブルートゥースによる無線ビデオ伝送を有するヘッドフォンが設けられ
る（例えば、ユーザのインターネット接続が切断されることがないため、これはｗｉｆｉ
よりも好ましい）。ビデオは、ヘッドフォンのｈ．２６４形式に圧縮され、電話に伝送さ
れ得る。２つの例示的なケースがある：一実施例において、ブルートゥース帯域幅が十分
であり、よってビデオはその場で伝送される。別の実施例において、帯域幅は十分でない
。帯域幅が十分ではない場合、リアルタイム低解像度のビューファインダビデオが伝送さ
れ得、録画が終了した後、高解像度ビデオは、電話のバックグラウンドで非同期的に伝送
され得る。
【０１４５】
一実施例では、空の電池の場合の音声入力、または音楽を別の人物と共有するための音
声出力のために使用することができるであろう音声ジャックを有するヘッドフォンが提供
される。共有するための第２の音声出力ジャックを有するヘッドフォンユニットの一実施
例は、図２８に示される。
【０１４６】
一実施例では、ヘッドフォンがユーザの頭上にあるかどうかに従って音楽の再生を停止
する／再開するために、ヘッドフォンが頭上にあるかどうかを検出するセンサを有するヘ
ッドフォンが提供される。
【０１４７】
一実施例では、例えば、パーティーで音楽を共有するためにラウドスピーカオプション
を有するヘッドフォンが提供される。
【０１４８】
一実施例では、ビデオ画像を録画し、ヘッドフォンで聴いている音楽をビデオサウンド
トラックとして自動的に使用する、ヘッドフォンが提供される。ビデオヘッドフォンに関
して、ユーザが実際に聞いている音楽をビデオサウンドトラックとして自動的に使用する
追加的機能がある。
【０１４９】
音響トラックが予め録画された音響ファイルであるビデオ録画において高品質のビデオ
を提供するために、次のことが実施され得る。リアルタイムビューファインダは、低解像
度画像出力および高フレームレート出力を提供され得る。スーパーサンプリングは、フレ
ームレートを増大（例えば、２倍）させるために、接続されたモバイルデバイス（例えば
、モバイル電話）上に設けられ得る。カメラ含有デバイスからの非同期最大解像度のビデ
オ転送は、ビデオ取り込みが終了した後に提供され得る。ユーザが録画ボタンを押すと、
無線（例えば、ブルートゥース）帯域幅制限のために、ビューファインダデータのみが、
カメラ含有デバイスから無線で接続されるモバイルデバイス（例えば、モバイル電話）に
転送される。
【０１５０】
ユーザが停止録画ボタンを押すと、取り込まれた最大解像度のビデオの転送が開始され
得る。最大解像度のビデオ転送中、ユーザは、プレビュー品質画像出力を用いてビデオを
編集し得る。１つの利点は、プレビュー品質画像出力を用いてビデオを編集することが最
終的なビデオ転送を待つよりもかなり迅速なことである。ユーザは、必ずしも最終的なビ
デオ転送を待つ必要がないはずである。ユーザが編集を終了するや否や、かつ最大解像度
のビデオがモバイルデバイス（例えば、モバイル電話）に転送されている間に、編集ソフ
トウェアは、同じアクション（編集によって示唆されたアクション）を最大解像度のビデ
オに適用するであろう。モーションセンサ情報は、ヘッドフォンおよび／またはモバイル
デバイス（例えば、モバイル電話）の電力を節約するために、接続されたモバイルデバイ
ス（例えば、モバイル電話）上でまたはクラウド側もしくはサーバ側でのいずれかで、正
確なビデオ安定化を適用することにより、ヘッドフォン側で録画されたビデオを改善する
ように使用され得る。ヘッドフォン上の１つ以上のカメラを使用して、パノラマビデオを
取り込み得る。ユーザは、非パノラマフレームをパノラマから選択し得る。（例えば、ヘ
ッドフォンに接続されたモバイルデバイスまたはモバイル電話上の）ソフトウェアは、パ
ノラマ内の移動物体を自動的に追跡し、パノラマを標準フレームに切り抜くことができる
。
【０１５１】
高品質ステレオ音楽再生は、約２０Ｈｚ〜約２０ｋＨｚの人間の音声周波数の範囲で音
声周波数を再生することによって特徴付けられる。具体的には、より低い品質のステレオ
音楽再生は、多くの場合、より低い周波数、具体的には、周波数範囲約２０Ｈｚ〜約５０
Ｈｚで再生することが不可能であることによって特徴付けられる。小型ラウドスピーカは
、ヘッドフォン上での使用に好適なラウドスピーカである。
【０１５２】
ビデオヘッドフォンと、ビデオヘッドフォンに接続され、アプリケーションを実行中の
、ユーザが彼らのコミュニティで共有するためにビデオを録画し、編集し、ユーザの音楽
をミキシングすることを可能にするモバイルデバイス（例えば、スマートフォン）を含む
システムが提供される。ユーザは、ヘッドフォンとモバイルデバイス上で実行中のモバイ
ルアプリケーションとを使用して、例えば、ビデオを録画し、彼らの音楽プレイリストを
編集し、ビデオ効果を変更し、ビデオタイトルを追加し、彼らのコミュニティで共有し得
る。ヘッドフォンは、ディスクジョッキー（ＤＪ）の音声品質を提供し得る。ヘッドフォ
ンは、ユーザが自分自身の視点（ＰＯＶ）から生活を録画し、前方＆後方ＰＯＶ表示用ヘ
ッドフォンカップを装備した各ビデオカメラを旋回させることを可能にし得る一方で、モ
バイルアプリはユーザがビデオおよび音声をプロのように編集することを可能にし得る。
ユーザが、彼ら自身の音楽サウンドトラックを編集して、彼らが選択したソーシャルメデ
ィアプラットフォームを共有し得る。システムは、ビデオ取り込みおよび共有機能を通し
て消費者のためのより深いレベルの関わりおよび繋がりを提供するプレミアムヘッドホン
革新である。システムは、簡単に採用可能な洗練されたスタイリッシュな様式で、初心者
がヘッドフォン革命に参加する扉を開く。システムは、ビデオヘッドフォン消費者の一人
の経験を基に、彼らのソーシャルネットワークで音楽およびビデオを愛する心を共有する
ためのアクセスを提供する。
【０１５３】
第１の内部空間を確定する第１の筐体と、第１の内部空間内に少なくとも部分的に配設
され、第１の筐体と一体化される第１のラウドスピーカとを含む第１のイヤフォンアセン
ブリ；第２の内部空間を確定する第２の筐体と、第２の内部空間内に少なくとも部分的に
配設され、第２の筐体と一体化される第２のラウドスピーカとを含む第２のイヤフォンア
センブリ；第１のイヤフォンアセンブリと一体化されたカメラを含む画像取り込み装置；
各々が２つの独立した音声源のうちの少なくとも１つのからの音声信号を受信するように
構成された音声入力接続；第１および第２のラウドスピーカへの音声入力接続からの音声
信号を提供するように構成された音声出力を備え、頭部装着型デバイスが音声源の第１の
ものと、音声源の第２のものとの間の切り替えを可能にするように構成され、画像取り込
み装置が音声源のうちのいずれか１つと同時に動作するように構成される、頭部装着型デ
バイスが提供される。選択された音声源と同時に、ビデオの画像を開始して終了するため
のオン／オフ切り替えが提供され得る。デバイスは、少なくとも２つの音声源（マイクロ
フォンおよび音楽プレイヤー）を有し得るので、マルチモード切り替え機能はデバイスに
有用である。オン／オフ切り替えおよびヘッドフォンに存在する音声源を変更するための
切り替えは、無線バージョンのために有用であり得る。
【０１５４】
ビデオヘッドフォンは、少なくとも３つのモードで提供され得る：音声なし、ビデオで
同時に再生される音声源としてのマイク、ビデオ録画で同時に再生される音声源としての
プレイヤー。第４のモードは、それが取り込まれると、ビデオで同時に再生される音声源
としてのマイクおよびプレイヤーであり得る。ユーザは、これらのモード間で切り替える
ことが可能であり得る。 
【０１５５】
ユーザインタフェース態様
ビデオヘッドフォンに接続可能なモバイルデバイス（例えば、モバイル電話）が提供さ
れる。
【０１５６】
ビデオヘッドフォンがモバイルデバイスと接続されるとき、ユーザがビデオヘッドフォ
ンのアクションを制御し得るモバイルデバイスの画面（例えば、タッチ画面）でユーザイ
ンタフェースが提供され得る。接続は、有線接続であり得る。接続は、無線接続であり得
る。モバイルデバイスのユーザインタフェース画面は、ユーザによって選択されるとビデ
オヘッドフォン上でビデオ録画を開始する、選択可能な（例えば、タッチ画面選択可能な
）オプションを提供し得る。モバイルデバイスのユーザインタフェース画面は、ユーザに
よって選択されるとビデオヘッドフォンからライブビデオを提供する、選択可能な（例え
ば、タッチ画面選択可能な）オプションを提供し得る。モバイルデバイスのユーザインタ
フェース画面は、ビデオヘッドフォンからビデオファイルのインポートを提供する、選択
可能な（例えば、タッチ画面選択可能な）オプションを提供し得る。例示的なユーザイン
タフェース画面が図３２に示される。
【０１５７】
ユーザインタフェースは、ユーザがビデオヘッドフォンからのライブビデオフィードを
表示するために、友達を招待し得るモバイルデバイスの画面（例えば、タッチ画面）で提
供され得る。招待状が送られるべき友達の電子メールアドレスが、画面上のウィンドウに
入力され得る。選択可能なオプションは、パーソナルモバイルデバイスであるモバイルデ
バイスのユーザの全てのフォロワーに送信する招待のために提供され得る。選択可能なオ
プションは、パーソナルモバイルデバイスであるモバイルデバイスのユーザの全ての友達
に送信する招待のために提供され得る。招待は、入力されるタイトルを含み得る。招待は
、入力される説明を含み得る。選択可能なオプションは、ライブフィードのパブリックビ
ューイングを可能にするために提供され得る。選択可能なオプションは、ライブフィード
の録画を開始するために提供され得る。関連するユーザインタフェース画面の一実施例が
図３３に示される。
【０１５８】
ユーザインタフェースは、ユーザがビデオヘッドフォンからのライブビデオフィードを
表示するために、友達を招待し得るモバイルデバイスの画面（例えば、タッチ画面）で提
供され得る。ライブビデオフィードがアクティブであるとき、構成画面が提供され得る。
画面は、これまでのライブビデオフィードの持続時間を示すように構成され得る。画面は
、ライブビデオフィードのライブ視聴者の数を示すように構成され得る。画面は、ライブ
ビデオフィードに関連するライブユーザのコメントを提供するように構成され得る。ライ
ブユーザのコメントは、ハッシュタグおよびユーザ名を含み得る。画面は、ライブビデオ
フィードに関連して受信されたコメントに対する返信を構成するための領域を提供するよ
うに構成され得る。画面は、ライブビデオフィードを停止するように選択可能なオプショ
ンを提供するように構成され得る。例示的なユーザインタフェース画面が図３４に示され
る。
【０１５９】
モバイルデバイス（例えば、スマートフォン）に接続可能なビデオヘッドフォンを含む
システムが提供される。モバイルデバイスは、有線または無線であり得る接続を介してビ
デオヘッドフォンに対して音声データ要求を行うように動作可能であり得る。ビデオヘッ
ドフォンは、モバイルデバイスに音声データを提供するための要求に応答するように構成
され得る。モバイルデバイスのユーザインタフェース画面は、音声を検出するための選択
可能なマイクロフォンを提供し得る。選択可能なマイクロフォンは、ビデオヘッドフォン
上にあり得る。選択可能なマイクロフォンは、モバイルデバイス上にあり得る。モバイル
デバイス上のユーザインタフェース画面は、翻訳するべきメディアの選択を提供し得る。
選択可能な媒体は、翻訳のための音声であり得る。選択可能な媒体は、例えば、ビデオフ
ィードの書き込みが翻訳され得るように、ビデオであり得る。モバイルデバイスのユーザ
インタフェース画面は、入力媒体が検出されたことを提供し、関係する翻訳オプションを
提供する。例えば、音声を翻訳するための翻訳オプションが提供され得る。例えば、ビデ
オを翻訳するための翻訳オプションが、例えば、ビデオフィードの書き込みが翻訳され得
るように、提供され得る。関連するユーザインタフェース画面の一実施例が図３８に示さ
れる。
【０１６０】
モバイルデバイス（例えば、スマートフォン）に接続可能なビデオヘッドフォンを含む
システムが提供される。モバイルデバイスは、有線または無線であり得る接続を介してビ
デオヘッドフォンに対して音声データ要求を行うように動作可能であり得る。ビデオヘッ
ドフォンは、音声ファイルから、またはビデオヘッドフォンのマイクロフォンから取得さ
れる音声入力から、モバイルデバイスに音声データを提供する要求に応答するように構成
され得る。モバイルデバイスのユーザインタフェース画面は、選択可能なまたは検出され
た言語から選択可能な言語へのテキストの翻訳を提供し得る。翻訳されるべきテキストは
、入力音声源からの音声認識により、またはビデオ画像もしくはビデオストリームからの
テキスト認識により取得され得る。翻訳されたテキストが画面に表示され得る。翻訳され
たテキストが、例えば、モバイルデバイス上またはビデオヘッドフォンで音声出力として
提供されるように、画面は選択可能なオプションを含み得る。例示的なユーザインタフェ
ース画面が図３９に示される。
【０１６１】
モバイルデバイス（例えば、スマートフォン）に接続可能なビデオヘッドフォンを含む
システムが提供される。モバイルデバイスの画面は、モバイルデバイスがビデオヘッドフ
ォンといつ接続していないかを示し得る。例示的なユーザインタフェース画面が図４０に
示される。
【０１６２】
モバイルデバイス（例えば、スマートフォン）に接続可能なビデオヘッドフォンを含む
システムが提供されるモバイルデバイスは、実サーバまたは仮想サーバであり得るサーバ
に接続可能である。モバイルデバイス画面は、サーバ上でホストされるアカウントのため
のユーザ名およびパスワードを入力するために提供され得、該アカウントはビデオヘッド
フォンに録画されたサーバメディア上での保存を提供し、モバイルデバイスを介してサー
バに伝送される。モバイルデバイスのユーザインタフェース画面は、アカウントで使用す
るための、ユーザ名またはユーザ名として機能する電子メールアドレス、およびパスワー
ドのユーザ入力を提供し得る。ログイン情報を保存するという選択可能なオプションが提
供され得る。ログインを選択可能なアイコンが提供され得る。新規アカウント作成を選択
可能なアイコンが提供され得る。フェースブックにサインインするための選択可能なアイ
コンが提供され得る。ツイッターにサインインするための選択可能なアイコンが提供され
得る。デモを見るための選択可能なアイコンが提供され得る。例示的なユーザインタフェ
ース画面が図４１に示される。
【０１６３】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上でホストされる新規アカウ
ントのためのユーザ名およびパスワードを入力するために提供され得、該アカウントはビ
デオヘッドフォンに録画されたサーバメディア上での保存を提供し、モバイルデバイスを
介してサーバに伝送される。モバイルデバイスのユーザインタフェース画面は、アカウン
トと共に使用するためのユーザ名、電子メールアドレス、およびパスワードのユーザ入力
を提供し得る。選択可能なアイコン、例えば、「アカウントを作成する」アイコンは、ユ
ーザに望まれるとき、ユーザ名、電子メールアドレス、およびパスワードを確認するため
に、ユーザに提供され得る。選択可能なオプションは、サーバからの通知を受信するため
に、ユーザの電子メールアドレスを提供し得る。例示的なユーザインタフェース画面が図
４２に示される。
【０１６４】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面が、サーバ上のユーザアカウントに関連
付けられたビデオを管理するために提供される。モバイルデバイスの画面は、ユーザのユ
ーザ名を示し得る。ユーザの簡単な略歴／説明は、例えば、１回１４０文字までに制限さ
れて表示され得る。モバイルデバイスの画面は、アカウントに関連付けられたビデオの数
を示し得る。モバイルデバイスの画面は、ユーザアカウントによってフォローされるアカ
ウントの数を示し得る。モバイルデバイスの画面は、モバイルデバイス上での再生のため
に選択可能なユーザアカウントの単一のビデオに関連付けられた画面ショットおよびタイ
トルを表示し得る。モバイルデバイスの画面は、モバイルデバイス上での再生のために選
択可能なユーザアカウントの複数のビデオの各々に関連付けられた画面ショットおよびタ
イトルを表示し得る。画面は、特集ビデオの一覧を表示するための選択可能なアイコンを
提供し得る。画面は、ライブビデオフィードを提供するための選択可能なアイコンを提供
し得る。画面は、新規ビデオを発見するための選択可能なアイコンを提供し得る。画面は
、ユーザの詳細なプロファイルを表示するための選択可能なアイコンを提供し得る。選択
可能な設定アイコンが提供され得る。例示的なユーザインタフェース画面が図４３に示さ
れる。
【０１６５】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上のユーザアカウントに関連
付けられたフォロワーを表示するために提供され得る。モバイルデバイスの画面は、ユー
ザのユーザ名を示し得る。ユーザの簡単な略歴／説明は、例えば、１回１４０文字までに
制限されて表示され得る。モバイルデバイスの画面は、アカウントに関連付けられたビデ
オの数を示し得る。モバイルデバイスの画面は、ユーザアカウントによってフォローされ
るアカウントの数を示し得る。モバイルデバイスの画面は、ユーザアカウントのフォロワ
ーのために複数のユーザ名およびそれらに関連するアイコンを提供し得る。画面は、特集
ビデオの一覧を表示するための選択可能なアイコンを提供し得る。画面は、ライブビデオ
フィードを提供するための選択可能なアイコンを提供し得る。画面は、新規ビデオを発見
するための選択可能なアイコンを提供し得る。画面は、ユーザの詳細なプロファイルを表
示するための選択可能なアイコンを提供し得る。選択可能な設定アイコンが提供され得る
。例示的なユーザインタフェース画面が図４４に示される。
【０１６６】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上のユーザアカウントに関連
付けられるべき潜在的な友達を表示するために提供され得る。モバイルデバイスの画面は
、ユーザのユーザ名を示し得る。ユーザの簡単な略歴／説明は、例えば、１回１４０文字
までに制限されて表示され得る。モバイルデバイスの画面は、アカウントに関連付けられ
たビデオの数を示し得る。モバイルデバイスの画面は、ユーザアカウントによってフォロ
ーされるアカウントの数を示し得る。画面は、特集ビデオの一覧を表示するための選択可
能なアイコンを提供し得る。画面は、ライブビデオフィードを提供するための選択可能な
アイコンを提供し得る。画面は、新規ビデオを発見するための選択可能なアイコンを提供
し得る。画面は、ユーザの詳細なプロファイルを表示するための選択可能なアイコンを提
供し得る。選択可能な設定アイコンが提供され得る。モバイルデバイスの画面は、ユーザ
アカウントに関連付けられるべき友達を招待するために選択可能なアイコンを提供し得る
。友達を招待するアイコンを選択すると、アカウントの「友達」であるユーザのコミュニ
ティに参加するために、招待状を送信する電子メールアドレスを指定するために、入力画
面が提供され得る。送信する招待状を選択可能なアイコンが電子メール入力画面上に提供
され得る。選択可能なアイコンがソーシャルネットワークで招待を共有するために提供さ
れ得る。選択可能なアイコンが予め定義されたソーシャルネットワークで招待を共有する
ために提供され得る。関係するユーザインタフェース画面の実施例が図４５に示される。
【０１６７】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面が、サーバ上のユーザアカウントに関連
付けられた設定を選択するために提供され得る。選択可能な設定は、ユーザプロファイル
を編集するためであり得る。選択可能な設定は、ソーシャル設定を選択するためであり得
る。選択可能な設定は、通知を選択するためであり得る。選択可能な設定は、プライバシ
ー設定を選択するためであり得る。選択可能な設定は、ヘルプセンターに関係する設定を
選択するためであり得る。選択可能な設定は、ユーザインタフェース画面および関連付け
られた機能を提供するモバイルデバイス上で実行中のアプリケーションの評価を提供する
ためであり得る。ログアウトボタンが提供され得る。例示的なユーザインタフェース画面
が図４６に示される。
【０１６８】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面がサーバ上のビデオのトレンドを表示す
るために提供され得る。モバイルデバイスの画面は、モバイルデバイスでの再生のために
選択可能である、サーバ上でトレンドである複数のビデオの各々と関連付けられた画面シ
ョット、ユーザ名、およびタイトルを表示し得る。トレンドは、画面上の選択可能なオプ
ションを使用してフィルタリング可能であり得る。例えば、トレンドビデオは、地域、年
齢グループ（例えば、子供、十代、大人）によって、または選択可能なカテゴリによって
フィルタリング可能であり得る。画面は、特集ビデオの一覧を表示するための選択可能な
アイコンを提供し得る。画面は、ライブビデオフィードを提供するための選択可能なアイ
コンを提供し得る。画面は、新規ビデオを発見するための選択可能なアイコンを提供し得
る。画面は、ユーザの詳細なプロファイルを表示するための選択可能なアイコンを提供し
得る。選択可能な設定アイコンが提供され得る。例示的なユーザインタフェース画面は、
図４７に示される。
【０１６９】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上で人気のビデオを表示する
ために提供され得る。モバイルデバイスの画面は、モバイルデバイスでの再生のために選
択可能である、人気のある、サーバ上の複数のビデオの各々と関連付けられた画面ショッ
ト、ユーザ名、およびタイトルを表示し得る。人気のビデオは、画面上で選択可能なオプ
ションを使用してフィルタリング可能であり得る。例えば、人気のビデオは、地域、年齢
グループ（例えば、子供、十代、大人）によって、または選択可能なカテゴリによってフ
ィルタリング可能であり得る。画面は、特集ビデオの一覧を表示するための選択可能なア
イコンを提供し得る。画面は、ライブビデオフィードを提供するための選択可能なアイコ
ンを提供し得る。画面は、新規ビデオを発見するための選択可能なアイコンを提供し得る
。画面は、ユーザの詳細なプロファイルを表示するための選択可能なアイコンを提供し得
る。選択可能な設定アイコンが提供され得る。例示的なユーザインタフェース画面が図４
８に示される。
【０１７０】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上の最新ビデオを表示するた
めに提供され得る。モバイルデバイスの画面は、モバイルデバイスでの再生のために選択
可能である、サーバ上の最新ビデオである、複数のビデオの各々と関連付けられた画面シ
ョット、ユーザ名、およびタイトルを表示し得る。最新ビデオは、画面上の選択可能なオ
プションを使用してフィルタリング可能であり得る。例えば、最新ビデオは、地域、年齢
グループ（例えば、子供、十代、大人）によって、または選択可能なカテゴリによってフ
ィルタリング可能であり得る。画面は、特集ビデオの一覧を表示するための選択可能なア
イコンを提供し得る。画面は、ライブビデオフィードを提供するための選択可能なアイコ
ンを提供し得る。画面は、新規ビデオを発見するための選択可能なアイコンを提供し得る
。画面は、ユーザの詳細なプロファイルを表示するための選択可能なアイコンを提供し得
る。選択可能な設定アイコンが提供され得る。例示的なユーザインタフェース画面が図４
９に示される。
【０１７１】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上に保存されている特集ビデ
オを表示するために提供され得る。モバイルデバイスの画面は、モバイルデバイスでの再
生のために選択可能である、サーバ上の特集ビデオと関連付けられた画面ショット、ユー
ザ名、およびタイトルを表示し得る。モバイルデバイスの画面は、サーバ上の特集ビデオ
と関連付けられた説明を表示し得る。モバイルデバイスの画面は、特集ビデオと関係する
コメントの入力のための選択可能なオプションを表示し得る。モバイルデバイスの画面は
、特集ビデオの強い好みを示すための選択可能なオプションを表示し得る。モバイルデバ
イスの画面は、特集ビデオに関連付けられたユーザのコミュニティを表示するまたはそれ
に参加するための選択可能なオプションを表示し得る。特集ビデオの１つ以上のユーザレ
ビューが画面上に表示され得る。画面は、特集ビデオの一覧を表示するための選択可能な
アイコンを提供し得る。画面は、ライブビデオフィードを提供するための選択可能なアイ
コンを提供し得る。画面は、新規ビデオを発見するための選択可能なアイコンを提供し得
る。画面は、ユーザの詳細なプロファイルを表示するための選択可能なアイコンを提供し
得る。選択可能な設定アイコンが提供され得る。例示的なユーザインタフェース画面が図
５０に示される。
【０１７２】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上に保存されているライブビ
デオのトレンドを表示するために提供され得る。モバイルデバイスの画面は、サーバ上で
ライブかつトレンドであり、モバイルデバイスでの表示のために選択可能である、複数の
ビデオの各々と関連付けられた画面ショット、ユーザ名、およびタイトルを表示し得る。
トレンドは、画面上の選択可能なオプションを使用してフィルタリング可能であり得る。
例えば、トレンドビデオは、地域、年齢グループ（例えば、子供、十代、大人）によって
、または選択可能なカテゴリによってフィルタリング可能であり得る。画面は、特集ビデ
オの一覧を表示するための選択可能なアイコンを提供し得る。画面は、ライブビデオフィ
ードを提供するための選択可能なアイコンを提供し得る。画面は、新規ビデオを発見する
ための選択可能なアイコンを提供し得る。画面は、ユーザの詳細なプロファイルを表示す
るための選択可能なアイコンを提供し得る。選択可能な設定アイコンが提供され得る。例
示的なユーザインタフェース画面が図５１に示される。
【０１７３】
モバイルデバイス（例えば、スマートフォン）に接続可能なビデオヘッドフォンを含む
システムが提供され、このモバイルデバイスは、実サーバまたは仮想サーバであり得るサ
ーバに接続可能である。モバイルデバイスの画面は、サーバ上に保存されているビデオを
発見するために提供され得る。モバイルデバイスの画面は、人、お薦め、地域、最多共有
などのカテゴリについて、または最近検索されたハッシュタグについて、サーバ上でビデ
オを発見するための選択可能なオプションを表示し得る。画面は、特集ビデオの一覧を表
示するための選択可能なアイコンを提供し得る。画面は、ライブビデオフィードを提供す
るための選択可能なアイコンを提供し得る。画面は、新規ビデオを発見するための選択可
能なアイコンを提供し得る。画面は、ユーザの詳細なプロファイルを表示するための選択
可能なアイコンを提供し得る。選択可能な設定アイコンが提供され得る。例示的なユーザ
インタフェース画面が図５２に示される。
【０１７４】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。接続は、有線接続であり得る。接続は、無線接続であり得る
。モバイルデバイスのユーザインタフェース画面は、ユーザによって選択されるとビデオ
ヘッドフォン上でビデオ録画を開始する、選択可能な（例えば、タッチ画面選択可能な）
オプションを提供し得る。モバイルデバイスのユーザインタフェース画面は、ユーザによ
って選択されるとビデオヘッドフォンからのビデオフィルムのインポートを提供する選択
可能な（例えば、タッチ画面選択可能な）オプションを提供し得る。モバイルデバイスの
ユーザインタフェース画面は、ユーザによって選択されるとモバイルデバイス上に保存さ
れているビデオのギャラリーからビデオの再生を提供する選択可能な（例えば、タッチ画
面選択可能な）オプションを提供し得る。例示的なユーザインタフェース画面が図５３に
示される。
【０１７５】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。接続は、有線接続であり得る。接続は、無線接続であり得る
。モバイルデバイスのユーザインタフェース画面は、ユーザによって選択されるとカメラ
またはビデオ録画のために使用されるカメラを選択する選択可能な（例えば、タッチ画面
選択可能な）オプションを提供し得る。選択可能なオプションは、ビデオ録画のためにビ
デオヘッドフォンの特定のカメラを使用することであり得る。選択可能なオプションは、
ビデオ録画のためにビデオヘッドフォンの２つのカメラを使用することであり得る。選択
可能なオプションは、ビデオ録画のためにモバイルデバイスのカメラを使用することであ
り得る。例示的なユーザインタフェース画面が図５４に示される。
【０１７６】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。接続は、有線接続であり得る。接続は、無線接続であり得る
。モバイルデバイスのユーザインタフェース画面は、ユーザによって選択されるとビデオ
録画を開始する、選択可能な（例えば、タッチ画面選択可能な）オプションを提供し得る
。例示的なユーザインタフェース画面が図５５に示される。
【０１７７】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。接続は、有線接続であり得る。接続は、無線接続であり得る
。モバイルデバイスのユーザインタフェース画面は、複数の選択可能な（例えば、タッチ
画面選択可能な）オプションであって、その各々がユーザの友達に対応し、ユーザによっ
て選択されると友達の共有ビデオが表示され得るように友達を選択する、オプションを提
供し得る。例示的なユーザインタフェース画面が図５６に示される。
【０１７８】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、ビデオヘッドフォン上に保存さ
れているビデオをモバイルデバイスにインポートして、その編集を開始するために提供さ
れ得る。モバイルデバイスの画面は、モバイルデバイスにインポートして、編集するため
に選択可能な複数のビデオの各々と関連付けられた画面ショット、ユーザ名、およびタイ
トルを表示し得る。例示的なユーザインタフェース画面は図５７に示される。
【０１７９】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。選択可能なアイコ
ンが、ビデオトラック間での切り替えのための画面上に提供され得る。調整可能な長さの
長方形が、他の部分が編集されたビデオファイルに含まれないように、ビデオの全期間か
らビデオの一部分を選択するために提供され得る。ビデオの選択された部分は、長めのビ
デオファイルの一部を形成するように画面上にドラッグおよびドロップされ得る。画面は
、ビデオの縦横比を調整するため、またはビデオの明るさもしくはコントラストを調整す
るため、またはビデオにテキストを追加するためなど、ビデオの編集機能を実施するため
の選択可能なアイコンを含み得る。例示的なユーザインタフェース画面は図５８に示され
る。
【０１８０】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。選択可能なアイコ
ンが、ビデオ編集と音声編集との間での切り替えのための画面上に提供され得る。調整可
能な長さの長方形が、選択された部分の再生速度が調整され得るように、ビデオの全期間
からビデオの部分を選択するために提供され得る。ビデオの選択された部分の再生速度は
、スライダー入力アイコンを摺動させることによって調整され得、第１の方向への摺動が
再生速度の上昇を示し、第１の方向の反対の第２の方向への摺動が再生速度の低減を示す
。画面は、ビデオの縦横比を調整するため、またはビデオの明るさもしくはコントラスト
を調整するため、またはビデオにテキストを追加するためなど、ビデオの編集機能を実施
するための選択可能なアイコンを含み得る。例示的なユーザインタフェース画面は図５９
に示される。
【０１８１】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。選択可能なアイコ
ンが、ビデオ編集と音声編集との間での切り替えのための画面上に提供され得る。調整可
能な長さの長方形が、選択された部分の音声音響レベルが調整され得るように、ビデオの
全期間からビデオの一部分を選択するために提供され得る。ビデオの選択された部分の音
声音響レベルは、スライダー入力アイコンを摺動させることによって調整され得、第１の
方向への摺動が音声音響レベルの上昇を示し、第１の方向の反対の第２の方向への摺動が
音声音響レベルの低減を示す。画面は、ビデオの縦横比を調整するため、またはビデオの
明るさもしくはコントラストを調整するため、またはビデオにテキストを追加するためな
ど、ビデオの編集機能を実施するための選択可能なアイコンを含み得る。例示的なユーザ
インタフェース画面は図６０に示される。
【０１８２】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。画面は、ビデオの
縦横比を調整するため、またはビデオの明るさもしくはコントラストを調整するため、ま
たはビデオにテキストを追加するためなど、ビデオの編集機能を実施するための選択可能
なアイコンを含み得る。選択可能なアイコンは、例えば、明るさを増大させるため、明る
さを低減するため、ビデオにカラースキームを提供するため、または色合いを提供するた
めなどの目的で、ビデオに適用されるべき１組の選択可能なフィルタを提供し得る。例示
的なユーザインタフェース画面は図６１に示される。
【０１８３】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。画面は、ビデオの
縦横比を調整するため、またはビデオの明るさもしくはコントラストを調整するため、ま
たはビデオにテキストを追加するためなど、ビデオの編集機能を実施するための選択可能
なアイコンを含み得る。選択可能なアイコンは、音響トラックがサウンドトラックをビデ
オに提供するように選択され得るアルバムの音楽ライブラリ（特定のアーティストと関連
付けられたものなど）を提供し得る。選択された場合、ビデオの色およびモーションと一
致するサウンドトラックを自動的に提案する選択可能なアイコンが提供され得る。例示的
なユーザインタフェース画面は図６２に示される。アルバムが選択される場合、選択され
たアルバムのトラックが選択され得るさらなる画面が提供され得る。例示的なユーザイン
タフェース画面は図６３に示される。
【０１８４】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。画面は、ビデオの
縦横比を調整するため、またはビデオの明るさもしくはコントラストを調整するため、ま
たはビデオにテキストを追加するためなど、ビデオの編集機能を実施するための選択可能
なアイコンを含み得る。選択可能なアイコンは、音響トラックがサウンドトラックをビデ
オに提供するように選択され得る音楽ライブラリを提供し得る。アーティスト名、アルバ
ム名、選択されたトラック名が提供されるさらなる画面が提供され得る。調整可能な長さ
の長方形が、選択された部分が調整され得るように、音声トラックの全期間から音声トラ
ックの部分を選択するために提供され得る。複数の調整可能な長さの長方形が、選択され
た部分の音声音響レベルが調整され得るように、トラックの全期間からトラックの部分を
選択するために提供され得る。トラックの選択された部分の音声音響レベルは、スライダ
ー入力アイコンを摺動させることによって調整され得、第１の方向への摺動が音声音響レ
ベルの上昇を示し、第１の方向の反対の第２の方向への摺動が音声音響レベルの低減を示
す。トラックの複数の選択された部分の各々が、他の選択された部分とは独立して編集さ
れたその音声特徴を有し得る。例示的なユーザインタフェース画面は図６４に示される。
【０１８５】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられた画面ショットを表示し得る。選択可能なアイコ
ンが、ビデオのサムネイルを選択するための画面上に提供され得る。選択可能なアイコン
は、ビデオのサムネイルを生成する際に使用するための、ビデオの異なる時点におけるビ
デオの代表的な画面ショットを提供し得る。画面は、ビデオの縦横比を調整するため、ま
たはビデオの明るさもしくはコントラストを調整するため、またはビデオにテキストを追
加するためなど、ビデオの編集機能を実施するための選択可能なアイコンを含み得る。例
示的なユーザインタフェース画面は図６５に示される。
【０１８６】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスの画面は、モバイルデバイス上で編集する
ために選択されたビデオと関連付けられたタイトルを表示し得る。入力フィールドは、ビ
デオのタイトルを入力するために提供され得る。選択可能なアイコンが、タイトルを表示
するためのフォントスタイルを選択するために提供され得る。画面は、ビデオの縦横比を
調整するため、またはビデオの明るさもしくはコントラストを調整するため、またはビデ
オにテキストを追加するためなど、ビデオの編集機能を実施するための選択可能なアイコ
ンを含み得る。例示的なユーザインタフェース画面は図６６に示される。
【０１８７】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。モバイルデバイスは、実サーバまたは仮想サーバであり得る
サーバと通信し得る。プレビュー画面が提供され得る。モバイルデバイスの画面は、モバ
イルデバイス上で編集されたビデオに関連付けられたタイトルを表示し得る。タイトルは
、ビデオから選択された画面ショット上に重ね合わされて提供され得る。選択可能なアイ
コンが、サーバを介して他のユーザとビデオを共有することを選択するために提供され得
る。選択可能なアイコンが、ビデオ編集プロセスを終わらせることを選択するために提供
される。広告が画面上に提供され得る。画面は、ビデオの縦横比を調整するため、または
ビデオの明るさもしくはコントラストを調整するため、またはビデオにテキストを追加す
るためなど、ビデオの編集機能を再開するための選択可能なアイコンを含み得る。例示的
なユーザインタフェース画面は図６７に示される。
【０１８８】
ユーザインタフェースは、ビデオヘッドフォンがモバイルデバイスと接続しているとき
にユーザがビデオヘッドフォンからインポートされたビデオのためのアクションを編集す
ることを制御し得るモバイルデバイス（例えば、スマートフォン）の画面（例えば、タッ
チ画面）上に提供され得る。共有画面が提供され得る。モバイルデバイスの画面は、ビデ
オがモバイルデバイスから、ビデオが共有されることになる（実サーバまたは仮想サーバ
であり得る）サーバにアップロードされていることを示すグラフィックを表示し得る。ビ
デオの説明が、画面の入力を介してユーザによって提供され得る。個々のソーシャルネッ
トワークサイトに対応する選択可能なアイコンが、対応する個々のソーシャルネットワー
クサイトで他のユーザとビデオを共有することを選択するために提供され得る。選択可能
なアイコンが、選択されたソーシャルネットワークサイトにビデオを投稿することを選択
するために提供され得る。画面は、ビデオの縦横比を調整するため、またはビデオの明る
さもしくはコントラストを調整するため、またはビデオにテキストを追加するためなど、
ビデオの編集機能を再開するための選択可能なアイコンを含み得る。例示的なユーザイン
タフェース画面が図６８に示される。
【０１８９】
アプリを実行中のモバイルデバイス（例えば、スマートフォン）に接続可能であるビデ
オヘッドフォンを含むシステムであって、モバイルデバイスがサーバと接続しているシス
テムが提供される。モバイルアプリが、ユーザのビデオへの一体化のためのアプリ内でユ
ーザがフィルタおよび／または音楽を購入することを可能にする。例示的なユーザインタ
フェース画面が図７１に示される。
【０１９０】
本格的な品質のビデオカメラ
本格的な品質のビデオ（例えば、１０８０ｐ３０以上）の取り込みが可能である携帯カ
メラが提供され、このビデオは、無線で接続可能であり、無線で接続可能なヘッドフォン
に無線で（例えば、ＷｉＦｉまたはブルートゥースで）接続可能であり、かつヘッドフォ
ンで聴く音響トラックであるビデオの音響トラックを録音できる。カメラは、ウェアラブ
ル、ギア装着型、または耐水性であり得る。カメラは広角レンズを含み得る。カメラはま
た、カメラによって録画されたビデオのサウンドトラックとして、自分のヘッドフォンで
聴いている音楽を自動的に使用し得る。カメラとヘッドフォンとの間の接続は、有線接続
であり得る。
【０１９１】
ビデオカメラを含む眼鏡
視野内に設けられたディスプレイおよびビデオを録画できるカメラを有する、コンピュ
ータ内蔵眼鏡フレームを備える眼鏡が提供される。眼鏡は、声コマンドに反応し得る。眼
鏡は、眼鏡のカメラによって録画されたビデオのサウンドトラックとして、眼鏡の音声出
力開口部で聴かれるサウンドトラックの音響を使用し得る。眼鏡は、無線で接続可能であ
り得る。眼鏡は、無線で接続可能なヘッドフォンに無線で（例えば、ＷｉＦｉで）接続し
得る。眼鏡は、ヘッドフォンで聴くサウンドトラックである、ビデオのサウンドトラック
を録音し得る。眼鏡は、骨伝導型または他の型であり得るスピーカを含み得る。眼鏡はま
た、眼鏡によって録画されたビデオのサウンドトラックとして、自分のヘッドフォンで聴
いている音楽を自動的に使用し得る。眼鏡とヘッドフォンとの間の接続は、有線接続であ
り得る。
【０１９２】
さらなる開示
本明細書に開示されるビデオヘッドフォンで、ユーザは、ヘッドフォン自体に埋め込ま
れた小型カメラを通してビデオを録画することができるであろう。音声はまた、ヘッドフ
ォンケーブル制御ユニットに設置され得、また、ビデオカメラの下に位置するマイクロフ
ォンを介して録音され得る。
【０１９３】
一旦ユーザがビデオの録画を終了すると、音声が追加され得、音楽がビデオのために選
択され得、フィルタが追加され得る。編集プロセスが完了した後、音声およびビデオが途
切れることなく同期され得、出力が所望のソーシャルネットワークで共有され得る。
【０１９４】
本明細書に開示されるビデオヘッドフォンは、使用するために、音声源ならびにスマー
トフォンＵＳＢコネクタに接続するための好適な有線インタフェースを用いて構成され得
る。
【０１９５】
ビデオヘッドフォンは、保存して、その後、ワイヤーを介してビデオヘッドフォンから
スマートフォンに接続する制御上で音声およびビデオ制御によって編集および／またはア
ップロードするために、音声およびビデオ信号をスマートフォンに流す。
【０１９６】
カメラの表示が、ユーザが見ることができるものを監視するように調整され得るように
、ビデオヘッドフォンがユーザによって着用および／または使用され得、その信号出力は
、ユーザによって監視されるといった音声源フィードと組み合わされ、外部スマートフォ
ンに提供され得る。
【０１９７】
ヘッドフォンデバイスのための所望の特定の音声性能は、本格的な使用において典型的
なもの（即ち、帯域幅２０Ｈｚ〜２０ｋＨｚ）である。ビデオヘッドフォンデバイスへの
カメラの取り付けに所望である特定のビデオ性能は、ＭＰ４、ＦＬＶ、ＭＰＥＧなどの典
型的な形式で様々なビデオストリーミングおよびダウンロード可能なソースからスマート
フォンデバイスに通常ダウンロードされる、適切でかつ類似する解像度で２５ｆｐｓ以上
の画像モーション取り込みを可能にするはずである。
【０１９８】
パッケージングは、ヘッドフォンからスマートフォンモデルの様々な入力まで、３つの
接続型を含み得る。接続１は、Ｍｉｃｒｏ−ＵＳＢからＡｐｐｌｅ  ｉＰｈｏｎｅ、ｉＰ
ｈｏｎｅ  ３Ｇ、ｉＰｈｏｎｅ  ４、ｉＰｈｏｎｅ  ４Ｓ  ３０−Ｐｉｎ  Ｓｔｙｌｅ  
Ｃｈａｒｇｅｒ  Ａｄａｐｔｅｒ  Ｔｉｐであり得る。接続２は、３．５ｍｍのＡｕｘｉ
ｌｌａｒｙケーブル同期コネクタであり得る。接続３は、マイクロＵＳＢケーブルであり
得る。
【０１９９】
ビデオヘッドフォンで使用するためのアプリは：
−フィルタ（例えば、セピアフィルタ、白黒フィルタ、単色フィルタ）をビデオに追加
し得る。
−ビデオ（例えば、任意の長さ、最長１５秒）を録画し得る。
−タイムラインを短くすることによりユーザにビデオを編集する能力を提供し得る。
−ビデオの周りの様々なフレームを追加し得る。
【０２００】
本発明に従ったシステムの音声機能は以下を含み得る：
−ユーザのプレイリストからビデオ録画に曲をインポートする能力。
ｏユーザのデバイスまたはウェブサーバ上にユーザのプレイリストをローカル環境で保
存する能力。
ｏＷＡＹ、ＡＩＦＦ、ＡＵ、またはＲａｗ形式ヘッダー無しＰＣＭ；ＦＬＡＣなどの可
逆圧縮の形式、Ｍｏｎｋｅｙｓ音声（ファイル名拡張子ＡＰＥ）、ＷａｖＰａｃｋ（ファ
イル名拡張子ＷＶ）、ＴＴＡ、ＡＴＲＡＣ  Ａｄｖａｎｃｅｄロスレス、Ａｐｐｌｅロス
レス（ファイル名拡張子ｍ４ａ）、ＭＰＥＧ−４  ＳＬＳ、ＭＰＥＧ−４  ＡＬＳ、ＭＰ
ＥＧ−４  ＤＳＴ、Ｗｉｎｄｏｗｓメディア音声ロスレス（ＷＭＡロスレス）、およびＳ
ｈｏｒｔｅｎ（ＳＨＮ）、および／または同種の音声形式がサポートされ得る。
−最終的な出力を録画するために、タイムラインの任意の点から音声およびビデオ録画
を同期する能力。
−最終的なビデオをフェースブック、Ｔｕｍｂｌｒ、ツイッター、ｉｎｓｔａｇｒａｍ
、ｐｉｎｔｅｒｅｓｔ、ｖｉｍｅｏ、ユーチューブにアップロードする能力。
−ボタンを介して音声音響を２倍、３倍早いまたは遅い速度で編集する能力。
−単一のボタンで、自動調整機能で音声音響を編集する能力。
−使用されている曲のアーティストクレジットを投稿するために単一のボタンを押す能
力。アーティストクレジットがビデオ全体をスクロールするであろう。プロセスが１つの
ボタンプロセスによって制御される。
【０２０１】
本発明に従うシステムは：
−ユーザにプロファイルを作成する能力を提供する。これは、ユーザ名、位置、性別、
年齢、電子メールアドレスを含む。
−ＲＥＳＴ  ＡＰＩを使用して中央のウェブデータベースサーバでユーザプロファイル
データを保存する能力を提供する。
−ビデオのアクションまでの時間を測る音声／ビデオ同期ソフトウェアを提供する。
−ビデオのアクションと同じテンポを有するユーザプレイリストから曲のプレイリスト
の提案を提供する。
−音声およびビデオ機能（例えば、ビデオフィルタおよび音声機能強化）に費やす能力
をユーザに提供する。
−２つのビデオを１つに組み合わせて、音楽を編集し、１つのビデオを作る能力を提供
する
【０２０２】
ビデオヘッドフォンプラットフォーム方法、機器、およびメディアについてのこの開示
（記載された説明、図面、特許請求の範囲、要約書、付録、および／または同種のものを
含む）は、特許請求の範囲に記載の技術革新を実施することができる様々な実施例を示し
ている。これは、これらの実施例および特徴が特許請求の範囲に記載の技術革新の理解を
助けるために提示される代表的な実例であり、網羅的および／または排他的ではないこと
を理解されたい。したがって、様々な例、実装形態、実施例、および／または同種のもの
は本開示の全体にわたって非限定的なものとみなされる。さらに、代替の未記載の実施例
が利用可能であり得る（例えば、同等の実施例）。このような代替の実施例は、紙面を残
し、および／または繰り返しを低減するために詳細に考察されていない。詳細に考察され
ていない代替の実施例は、このような代替の未記載の実施例の否認とみなされるべきでは
なく、いかなる推論も、本開示において詳細に考察されたものに対して、このような代替
の未記載の実施例に関して示されるべきではない。このような代替の未記載の実施例は、
本開示の趣旨および／または範囲から逸脱することなく利用され得ることを理解されたい
。例えば、様々な実施例の組織的、論理的、物理的、機能的、トポロジカル、および／ま
たは同様の構造は、異なることがある。別の実施例において、本開示の全体にわたって様
々な実施例で説明されるＶＨＰ調整器、ＶＨＰ調整器要素、ＶＨＰデータストア、ＶＨＰ
構成要素およびそれらの副構成要素、機能、適用、および／または同種のものの組織的、
論理的、物理的、機能的、トポロジカル、および／または同種の構造は、固定された動作
の順序および／または構成に限定されず、代わりに、全ての同等の動作順序および／また
は構成が本開示によって企図される。さらに別の実施例において、ＶＨＰ調整器、ＶＨＰ
調整器要素、ＶＨＰデータストア、ＶＨＰ構成要素、およびそれらの副構成要素、機能、
適用、および／または本開示の様々な実施例に記載の同種のものは、連続実行に限定され
るものではなく、代わりに、平行して、同時に、同時平行して、同期的、非同期的に、お
よび／または同様に実行されるスレッド、プロセス、インスタンス、サービス、サーバ、
クライアント、ノード、および／または同種のものの任意の数のおよび／または構成が本
開示によって企図される。さらに、本開示で説明される機能のいくつかは、相互に矛盾し
、互換性がなく、適用性がなく、および／または同様な状態であり得、同じ実施例で同時
平行して存在しないことを理解されたい。したがって、様々な例、実装形態、実施例、お
よび／または同種のものは、特許請求の範囲または特許請求の範囲に対する同等の制限に
よって定義される本開示の制限とみなされるべきではない。
【０２０３】
本開示は、現在特許請求されていない技術革新を含む。出願人は、このような技術革新
を特許請求し、追加の仮出願、非仮出願、継続出願、一部継続出願、分割出願、および／
または同様のものを出願する権利を含めて、このような現在特許請求されていない技術革
新における全ての権利を留保する。本開示で考察されるＶＨＰのいくつかの実施例は、ワ
ールドビュー共有ビデオヘッドフォンを対象にしているが、本開示に記載の技術革新は、
多種多様な他の分野および／または用途に容易に適用することができることを理解された
い。
【０２０４】
上記で参照した構成は本発明の原理の応用の単なる例示に過ぎないことを理解されたい
。多数の修正および代替の構成が、本発明の趣旨および範囲から逸脱することなく考案さ
れ得る。本発明は図面に示され、本発明の最も実践的で好ましい実施例であると現在見な
されるものに関して具体的かつ詳細に上記に十分に説明してきたが、多くの修正が本明細
書に記載される本発明の原理および概念から逸脱することなく行われ得ることが当業者に
明らかであろう。
【図１】
2020096354.tif 000003
【図２】
2020096354.tif 000004
【図３】
2020096354.tif 000005
【図４】
2020096354.tif 000006
【図５】
2020096354.tif 000007
【図６】
2020096354.tif 000008
【図７】
2020096354.tif 000009
【図８】
2020096354.tif 000010
【図９】
2020096354.tif 000011
【図１０】
2020096354.tif 000012
【図１１】
2020096354.tif 000013
【図１２】
2020096354.tif 000014
【図１３】
2020096354.tif 000015
【図１４】
2020096354.tif 000016
【図１５】
2020096354.tif 000017
【図１６】
2020096354.tif 000018
【図１７】
2020096354.tif 000019
【図１８】
2020096354.tif 000020
【図１９】
2020096354.tif 000021
【図２０】
2020096354.tif 000022
【図２１】
2020096354.tif 000023
【図２２】
2020096354.tif 000024
【図２３】
2020096354.tif 000025
【図２４】
2020096354.tif 000026
【図２５】
2020096354.tif 000027
【図２６】
2020096354.tif 000028
【図２７】
2020096354.tif 000029
【図２８】
2020096354.tif 000030
【図２９】
2020096354.tif 000031
【図３０】
2020096354.tif 000032
【図３１】
2020096354.tif 000033
【図３２】
2020096354.tif 000034
【図３３】
2020096354.tif 000035
【図３４】
2020096354.tif 000036
【図３５】
2020096354.tif 000037
【図３６】
2020096354.tif 000038
【図３７】
2020096354.tif 000039
【図３８】
2020096354.tif 000040
【図３９】
2020096354.tif 000041
【図４０】
2020096354.tif 000042
【図４１】
2020096354.tif 000043
【図４２】
2020096354.tif 000044
【図４３】
2020096354.tif 000045
【図４４】
2020096354.tif 000046
【図４５】
2020096354.tif 000047
【図４６】
2020096354.tif 000048
【図４７】
2020096354.tif 000049
【図４８】
2020096354.tif 000050
【図４９】
2020096354.tif 000051
【図５０】
2020096354.tif 000052
【図５１】
2020096354.tif 000053
【図５２】
2020096354.tif 000054
【図５３】
2020096354.tif 000055
【図５４】
2020096354.tif 000056
【図５５】
2020096354.tif 000057
【図５６】
2020096354.tif 000058
【図５７】
2020096354.tif 000059
【図５８】
2020096354.tif 000060
【図５９】
2020096354.tif 000061
【図６０】
2020096354.tif 000062
【図６１】
2020096354.tif 000063
【図６２】
2020096354.tif 000064
【図６３】
2020096354.tif 000065
【図６４】
2020096354.tif 000066
【図６５】
2020096354.tif 000067
【図６６】
2020096354.tif 000068
【図６７】
2020096354.tif 000069
【図６８】
2020096354.tif 000070
【図６９】
2020096354.tif 000071
【図７０】
2020096354.tif 000072
【図７１】
2020096354.tif 000073
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
高品質のステレオ音楽再生用の一対の小型ラウドスピーカを含む音楽ヘッドフォンであって、少なくとも１つの一体型ビデオカメラが前記ヘッドフォンに内蔵され、前記ヘッドフォンがスマートフォンなどの物理的に別個の携帯音楽デバイスへの少なくとも１つの接続を含み、
前記接続のうちの少なくとも１つが、（ｉ）前記小型ラウドスピーカを使用して前記携帯音楽デバイスのステレオ音楽の高品質の再生を可能にし、
前記接続のうちの少なくとも１つが、（ｉｉ）音楽または他の音声を編集またはミキシングしてビデオ録画のためのサウンドトラックを作成するか、またはビデオ録画を共有するかのうちの１つ以上を行うために、前記ビデオカメラから前記携帯音楽デバイスへのビデオデータの転送を可能にし、
前記ビデオデータの編集が可能である、音楽ヘッドフォン。
【外国語明細書】
2020096354000001.pdf